(57)【要約】【課題】基板対基板接続において電気回路数を増加させる。【解決手段】レセプタクルコネクタ１０は、レセプタクルハウジング１１と、複数のレセプタクル端子１２と、第１及び第２レセプタクル固定金具１３，１４と、を備えている。第１及び第２レセプタクル固定金具１３，１４は、レセプタクルハウジング１１の両端部のそれぞれに配置されている。第１及び第２レセプタクル固定金具１３，１４は、互いに電気的に絶縁された金具部２６Ａ，２６Ｂをそれぞれ有している。レセプタクルコネクタ１０の金具部２６Ａは、プラグコネクタ５０の金具部６２Ａに対して電気的に接続される。【選択図】図２
2018067377.tif 000002
【特許請求の範囲】
【請求項１】
複数の相手方端子が第１方向に並ぶように絶縁性の相手方本体に配置され、前記複数の相手方端子を前記第１方向において挟むように前記相手方本体の両端部に配置された一対の相手方固定金具を有する相手方コネクタと電気的に接続される電気コネクタにおいて、
前記相手方コネクタが挿抜可能であり、凹み状の収容部を有する絶縁性の本体と、
前記相手方コネクタが前記収容部に挿し込まれた状態において前記複数の相手方端子のそれぞれに対して電気的に接続される複数の端子と、
前記本体を配線基板に固定する第１固定金具及び第２固定金具と、を備え、
前記収容部は、前記複数の端子が前記第１方向に沿う第２方向に並ぶように配置されると共に前記第２方向に沿って延びると共に互いに対面する一対の主内壁面と、前記第２方向における前記一対の主内壁面の各端部同士を接続する一対の端内壁面と、を含み、
前記複数の端子は、前記第２方向に沿って互いに離間して並ぶように前記一対の主内壁面のそれぞれに配置され、
前記第１固定金具及び前記第２固定金具は、前記第２方向において前記複数の端子を挟むように前記本体の両端部のそれぞれに配置され、前記一対の主内壁面の対面方向において互いに離間して配置され、互いに電気的に絶縁された金具部をそれぞれ含み、
前記第１固定金具における一方の前記金具部及び前記第２固定金具における一方の前記金具部は、前記相手方固定金具のそれぞれに含まれた相手方金具部に対して電気的に接続される金具接続部と、前記配線基板に対して電気的及び機械的に接続され、前記金具接続部と導通する基板接続部と、前記相手方コネクタが前記収容部に挿し込まれる際に前記相手方コネクタが前記収容部に嵌るように前記相手方コネクタを案内するガイド部と、をそれぞれ含む、電気コネクタ。
【請求項２】
前記第１固定金具における他方の前記金具部及び前記第２固定金具における他方の前記金具部は、前記相手方固定金具のそれぞれに含まれた、前記相手方金具部に対して電気的に絶縁された別の相手方金具部に対して電気的に接続される金具接続部と、前記基板接続部と、前記ガイド部と、をそれぞれ含む、請求項１に記載の電気コネクタ。
【請求項３】
前記第１固定金具は、前記一対の主内壁面のそれぞれと前記一対の端内壁面の一方とに配置され、
前記第２固定金具は、前記一対の主内壁面のそれぞれと前記一対の端内壁面の他方とに配置され、
前記金具部は、前記一対の主内壁面のいずれかと、前記一対の端内壁面のいずれかと、に亘って配置される、請求項２に記載の電気コネクタ。
【請求項４】
前記金具接続部は、前記一対の主内壁面のそれぞれに配置され、
前記ガイド部は、前記第２方向における前記相手方コネクタの移動を規制する第１ガイド片を含み、
前記第１ガイド片は、前記一対の端内壁面のそれぞれに配置される、請求項３に記載の電気コネクタ。
【請求項５】
前記ガイド部は、前記一対の主内壁面の対面方向において、前記相手方コネクタの移動を規制する第２ガイド片を含み、
前記第２ガイド片は、前記一対の主内壁面のそれぞれに配置される、請求項４に記載の電気コネクタ。
【請求項６】
前記一対の端内壁面のそれぞれは、前記一対の主内壁面の対面方向において互いに対面し且つ前記第２方向において前記一対の端内壁面における一方から他方に向かう方向につれて前記対面方向における離間幅を前記一対の主内壁面の離間幅よりも狭くする一対の領域を含み、
前記金具部は、前記一対の領域のいずれかと前記一対の主内壁面のいずれかとに配置される、請求項１に記載の電気コネクタ。
【請求項７】
前記金具接続部は、前記一対の主内壁面のそれぞれに配置され、
前記ガイド部は、前記一対の領域のそれぞれに配置され、前記第２方向及び前記一対の主内壁面の対面方向における前記相手方コネクタの移動を規制する、請求項６に記載の電気コネクタ。
【請求項８】
複数の第１端子が第１方向に並ぶように絶縁性の第１本体に配置され、前記複数の第１端子を前記第１方向において挟むように前記第１本体の両端部に配置された一対の固定金具を有する第１コネクタと、
配線基板に実装されて、前記第１コネクタと電気的に接続される第２コネクタと、を備え、
前記第２コネクタは、
前記第１コネクタが挿抜可能であり、凹み状の収容部を有する絶縁性の第２本体と、
前記第１コネクタが前記収容部に挿し込まれた状態において前記複数の第１端子のそれぞれに対して電気的に接続される複数の第２端子と、
前記第２本体を前記配線基板に固定する第１固定金具及び第２固定金具と、を含み、
前記収容部は、前記複数の第２端子が前記第１方向に沿う第２方向に並ぶように配置されると共に前記第２方向に沿って延びると共に互いに対面する一対の主内壁面と、前記第２方向における前記一対の主内壁面の各端部同士を接続する一対の端内壁面と、を含み、
前記複数の第２端子は、前記第２方向に沿って互いに離間して並ぶように前記一対の主内壁面のそれぞれに配置され、
前記第１固定金具及び前記第２固定金具は、前記第２方向において前記複数の第２端子を挟むように前記第２本体の両端部のそれぞれに配置され、前記一対の主内壁面の対面方向において互いに離間して配置され、互いに電気的に絶縁された金具部をそれぞれ含み、
前記第１固定金具における一方の前記金具部及び前記第２固定金具における一方の前記金具部は、前記一対の固定金具の一方に対して電気的に接続される金具接続部と、前記配線基板に対して、電気的及び機械的に接続され、前記金具接続部と導通する基板接続部と、前記第１コネクタが前記収容部に挿し込まれる際に前記第１コネクタが前記収容部に嵌るように前記第１コネクタを案内するガイド部と、をそれぞれ含む、コネクタ装置。
【請求項９】
前記一対の端内壁面のそれぞれは、前記一対の主内壁面の対面方向において互いに対面し且つ前記第２方向において前記一対の端内壁面における一方から他方に向かう方向につれて前記対面方向における離間幅を前記一対の主内壁面の離間幅よりも狭くする一対の第１領域を含む、請求項８に記載のコネクタ装置。
【請求項１０】
前記第１本体は、前記第１方向に沿って延びると共に互いに対向する一対の主外壁面と、前記第１方向における前記一対の主外壁面の各端部同士を接続する一対の端外壁面と、を含み、
前記一対の端外壁面のそれぞれは、前記一対の主外壁面の対向方向において互いに対向し且つ前記第１方向において前記一対の端外壁面における一方から他方に向かう方向につれて前記一対の主外壁面の対向方向における離間幅を前記一対の主外壁面の対向幅よりも狭くする一対の第２領域を含む、請求項８又は９に記載のコネクタ装置。
【発明の詳細な説明】
【技術分野】
【０００１】
本発明は、電気コネクタ及びコネクタ装置に関する。
【背景技術】
【０００２】
プリント配線基板（以下、単に「基板」とも言う）同士を互いに電気的に接続するコネクタ装置が知られている。このようなコネクタ装置は、いわゆる基板対基板（ボード・トゥ・ボード：Board to board）接続のための装置であり、プラグコネクタとレセプタクルコネクタとを有している。基板に実装されたプラグコネクタが別の基板に実装されたレセプタクルコネクタに嵌合することにより、基板同士が電気的に接続される。
【０００３】
特許文献１には、プラグコネクタとレセプタクルコネクタとを備えた回路基板用コネクタが開示されている。プラグコネクタには、回路基板にハンダ接続される複数の信号端子と電源端子とが設けられている。レセプタクルコネクタにも、回路基板にハンダ接続される複数の信号端子と電源端子とが設けられている。プラグコネクタとレセプタクルコネクタとを連結したとき、互いの信号端子同士が電気的に接続されて所望の電気回路を形成する。さらに、互いの電源端子同士が電気的に接続されて信号端子による電気回路とは別の電源回路（電気回路）を形成する。
【先行技術文献】
【特許文献】
【０００４】
【特許文献１】特開２０１６−３５９４２号公報
【発明の概要】
【発明が解決しようとする課題】
【０００５】
上記の回路基板用コネクタでは、プラグコネクタとレセプタクルコネクタの電源端子同士により一個の電源回路が形成される。しかし、当該技術の分野においては、電子機器の高機能化に伴い、回路基板用コネクタで実現可能な電気回路数の増加が望まれている。そこで、本開示は、電気回路数を増加させ得る電気コネクタ及びコネクタ装置を説明する。
【課題を解決するための手段】
【０００６】
本開示の一観点は、複数の相手方端子が第１方向に並ぶように絶縁性の相手方本体に配置され、複数の相手方端子を第１方向において挟むように相手方本体の両端部に配置された一対の相手方固定金具を有する相手方コネクタと電気的に接続される電気コネクタにおいて、相手方コネクタが挿抜可能であり、凹み状の収容部を有する絶縁性の本体と、相手方コネクタが収容部に挿し込まれた状態において複数の相手方端子のそれぞれに対して電気的に接続される複数の端子と、本体を配線基板に固定する第１固定金具及び第２固定金具と、を備え、収容部は、複数の端子が第１方向に沿う第２方向に並ぶように配置されると共に第２方向に沿って延びると共に互いに対面する一対の主内壁面と、第２方向における一対の主内壁面の各端部同士を接続する一対の端内壁面と、を含み、複数の端子は、第２方向に沿って互いに離間して並ぶように一対の主内壁面のそれぞれに配置され、第１固定金具及び第２固定金具は、第２方向において複数の端子を挟むように本体の両端部のそれぞれに配置され、一対の主内壁面の対面方向において互いに離間して配置され、互いに電気的に絶縁された金具部をそれぞれ含み、第１固定金具における一方の金具部及び第２固定金具における一方の金具部は、相手方固定金具のそれぞれに含まれた相手方金具部に対して電気的に接続される金具接続部と、配線基板に対して電気的及び機械的に接続され、金具接続部と導通する基板接続部と、相手方コネクタが収容部に挿し込まれる際に相手方コネクタが収容部に嵌るように相手方コネクタを案内するガイド部と、をそれぞれ含む。
【０００７】
この電気コネクタでは、本体が第１及び第２固定金具によって配線基板に固定される。第１固定金具の金具部と、第２固定金具の金具部と、のそれぞれは、基板接続部によって、配線基板に電気的及び機械的に接続されている。そして、基板接続部が金具接続部と導通し、金具接続部が相手方コネクタの相手方金具部に対して電気的に接続される。従って、配線基板に形成された電気回路を相手方端子が固定された別の配線基板に形成される電気回路に接続することが可能になる。ここで、第１及び第２固定金具におけるそれぞれの一方の金具部は互いに電気的に絶縁されているので、第１及び第２固定金具におけるそれぞれの一方の金具部によって接続される電気回路とは電気的に絶縁された別の電気回路も形成することが可能になる。従って、本開示の電気コネクタによれば、電気回路数を増加させることができる。
【０００８】
第１固定金具における他方の金具部及び第２固定金具における他方の金具部は、相手方固定金具のそれぞれに含まれた、相手方金具部に対して電気的に絶縁された別の相手方金具部に対して電気的に接続される金具接続部と、基板接続部と、ガイド部と、をそれぞれ含んでもよい。この構成によれば、他方の金具部が、一方の金具部が接続された相手方金具部とは別の相手方金具部に対して電気的に接続される。従って、第１及び第２固定金具におけるそれぞれの一方の金具部によって接続される電気回路とは電気的に絶縁された別の電気回路を形成することができる。すなわち、電気コネクタの第１及び第２固定金具により、互いに電気的に絶縁された電気回路を形成することができる。
【０００９】
第１固定金具は、一対の主内壁面のそれぞれと一対の端内壁面の一方とに配置され、第２固定金具は、一対の主内壁面のそれぞれと一対の端内壁面の他方とに配置され、金具部は、一対の主内壁面のいずれか一方と、一対の端内壁面のいずれか一方と、に亘って配置されてもよい。この構成によれば、第１及び第２固定金具が本体の両端側に配置されるので、配線基板への固定強度を高めることができる。
【００１０】
金具接続部は、一対の主内壁面のそれぞれに配置され、ガイド部は、第２方向における相手方コネクタの移動を規制する第１ガイド片を含み、第１ガイド片は、一対の端内壁面のそれぞれに配置されてもよい。この構成によれば、電気コネクタに相手方コネクタを挿し込む際に、第１ガイド片によって第２方向における相手方コネクタの移動が規制される。これにより、相手方コネクタの位置を電気コネクタに挿し込み可能な位置に修正することが可能になる。従って、相手方コネクタを電気コネクタに挿し込む際の作業性を向上させることができる。
【００１１】
ガイド部は、一対の主内壁面の対面方向において、相手方コネクタの移動を規制する第２ガイド片を含み、第２ガイド片は、一対の主内壁面のそれぞれに配置されてもよい。この構成によれば、電気コネクタに相手方コネクタを挿し込む際に、第２ガイド片によって対面方向における相手方コネクタの移動が規制される。これにより、相手方コネクタの位置を電気コネクタに挿し込み可能な位置に修正することが可能になる。従って、相手方コネクタを電気コネクタに挿し込む際の作業性をさらに向上させることができる。
【００１２】
一対の端内壁面のそれぞれは、一対の主内壁面の対面方向において互いに対面し且つ第２方向において一対の端内壁面における一方から他方に向かう方向につれて対面方向における離間幅を一対の主内壁面の離間幅よりも狭くする一対の領域を含み、金具部は、一対の領域のいずれか一方と一対の主内壁面のいずれか一方とに配置されてもよい。この構成によれば、相手方コネクタを一対の領域のいずれか一方に接触させながら相手方コネクタを収容部に挿し込むことにより、相手方コネクタの向きを収容部に挿し込み可能な向きに修正することが可能になる。従って、相手方コネクタ及び電気コネクタを互いに嵌合させる際の作業性を向上させることができる。
【００１３】
金具接続部は、一対の主内壁面のそれぞれに配置され、ガイド部は、一対の領域のそれぞれに配置され、第２方向及び一対の主内壁面の対面方向における相手方コネクタの移動を規制してもよい。この構成によれば、相手方コネクタの位置を、電気コネクタに挿し込み可能な位置に好適に修正することができる。従って、相手方コネクタを電気コネクタに挿し込む際の作業性をさらに向上させることができる。
【００１４】
本開示の別の観点は、コネクタ装置である。コネクタ装置は、複数の第１端子が第１方向に並ぶように絶縁性の第１本体に配置され、複数の第１端子を第１方向において挟むように第１本体の両端部に配置された一対の固定金具を有する第１コネクタと、配線基板に実装されて、第１コネクタと電気的に接続される第２コネクタと、を備え、第２コネクタは、第１コネクタが挿抜可能であり、凹み状の収容部を有する絶縁性の第２本体と、第１コネクタが収容部に挿し込まれた状態において複数の第１端子のそれぞれに対して電気的に接続される複数の第２端子と、第２本体を配線基板に固定する第１固定金具及び第２固定金具と、を含み、収容部は、複数の第２端子が第１方向に沿う第２方向に並ぶように配置されると共に第２方向に沿って延びると共に互いに対面する一対の主内壁面と、第２方向における一対の主内壁面の各端部同士を接続する一対の端内壁面と、を含み、複数の第２端子は、第２方向に沿って互いに離間して並ぶように一対の主内壁面のそれぞれに配置され、第１固定金具及び第２固定金具は、第２方向において複数の第２端子を挟むように第２本体の両端部のそれぞれに配置され、一対の主内壁面の対面方向において互いに離間して配置され、互いに電気的に絶縁された金具部をそれぞれ含み、第１固定金具における一方の金具部及び第２固定金具における一方の金具部は、一対の固定金具の一方に対して電気的に接続される金具接続部と、配線基板に対して、電気的及び機械的に接続され、金具接続部と導通する基板接続部と、第１コネクタが収容部に挿し込まれる際に第１コネクタが収容部に嵌るように第１コネクタを案内するガイド部と、をそれぞれ含む。
【００１５】
このコネクタ装置は、上述の電気コネクタを備えている。従って、第１及び第２固定金具におけるそれぞれの一方の金具部によって、配線基板に形成された電気回路を第１端子が固定された別の配線基板に形成される電気回路に接続することが可能となる。
【００１６】
一対の端内壁面のそれぞれは、一対の主内壁面の対面方向において互いに対面し且つ第２方向において一対の端内壁面における一方から他方に向かう方向につれて対面方向における離間幅を一対の主内壁面の離間幅よりも狭くする一対の第１領域を含んでもよい。この構成によれば、第１コネクタを一対の第１領域のいずれか一方に接触させながら第１コネクタを収容部に挿し込むことにより、第１コネクタの向きを収容部に挿し込み可能な向きに修正することが可能になる。従って、第１コネクタ及び第２コネクタを互いに嵌合させる際の作業性を向上させることができる。
【００１７】
第１本体は、第１方向に沿って延びると共に互いに対向する一対の主外壁面と、第１方向における一対の主外壁面の各端部同士を接続する一対の端外壁面と、を含み、一対の端外壁面のそれぞれは、一対の主外壁面の対向方向において互いに対向し且つ第１方向において一対の端外壁面における一方から他方に向かう方向につれて一対の主外壁面の対向方向における離間幅を一対の主外壁面の対向幅よりも狭くする一対の第２領域を含んでもよい。この構成によれば、第１コネクタを第２コネクタの収容部に挿し込む際に、第１コネクタの第２領域を第１領域に対して面接触するように調整することにより、第１コネクタの向きを収容部に挿し込み可能な向きに容易に修正することが可能になる。従って、第１コネクタ及び第２コネクタを互いに嵌合させる際の作業性をさらに向上させることができる。
【発明の効果】
【００１８】
本開示に係る電気コネクタ及びコネクタ装置によれば電気回路の数を増加させ得る。
【図面の簡単な説明】
【００１９】
【図１】図１は、第１実施形態に係るコネクタ装置を、一方の基板を部分的に切断した状態で示す斜視図である。
【図２】図２は、第１実施形態に係るコネクタ装置を構成するレセプタクルコネクタとプラグコネクタとを示す分解斜視図である。
【図３】図３の（ａ）は第１実施形態に係るプラグコネクタに配置される固定金具を示し、図３の（ｂ）はレセプタククルコネクタに配置される固定金具を示す斜視図である。
【図４】図４は、第１実施形態に係るレセプタクルコネクタを示す平面図である。
【図５】図５は、第１実施形態に係るプラグコネクタを示す平面図である。
【図６】図６は、第１ガイド片が奏するガイド機能を説明するための図である。
【図７】図７は、第２実施形態に係るコネクタ装置を示す斜視図である。
【図８】図８の（ａ）は第２実施形態に係るプラグコネクタに配置される固定金具を示し、図８の（ｂ）はレセプタククルコネクタに配置される固定金具を示す斜視図である。
【図９】図９は、第２実施形態に係るレセプタクルコネクタを示す平面図である。
【図１０】図１０は、第２実施形態に係るプラグコネクタを示す平面図である。
【図１１】図１１は、第３実施形態に係るコネクタ装置を示す斜視図である。
【図１２】図１２は、第３実施形態に係るレセプタクルコネクタの端部を拡大して平面視した図である。
【図１３】図１３は、第３実施形態に係るプラグコネクタの端部を拡大して平面視した図である。
【図１４】図１４の（ａ）は第３実施形態に係るプラグコネクタに配置される固定金具を示し、図１４の（ｂ）はレセプタククルコネクタに配置される固定金具を示す斜視図である。
【図１５】図１５は、第３実施形態に係るレセプタクルコネクタを示す平面図である。
【図１６】図１６は、第３実施形態に係るプラグコネクタを示す平面図である。
【図１７】図１７の（ａ）は比較例に係るコネクタ装置の端部を簡素化して表した平面図であり、図１７の（ｂ）は第３実施形態に係るコネクタ装置が奏するガイド機能を説明するためにコネクタ装置の端部を簡素化して表した平面図である。
【図１８】図１８の（ａ）は挿入前のコネクタ装置を簡素化して表した側面図であり、図１８の（ｂ）は図１８の（ａ）に示されたコネクタ装置を簡素化して表した平面図である。
【図１９】図１９の（ａ）〜（ｆ）は、ガイド機能を説明するための図である。
【図２０】図２０の（ａ）〜（ｃ）は、ガイド機能を説明するための比較例に係るコネクタ装置を簡素化して表した平面図である。
【図２１】図２１の（ａ）〜（ｄ）は、ガイド機能を説明するための第３実施形態に係るコネクタ装置を簡素化して表した平面図である。
【図２２】図２２の（ａ）は、第３実施形態に係るレセプタクルコネクタの端部を簡素化して表した平面図であり、図２２の（ｂ）は、比較例に係るレセプタクルコネクタの端部を簡素化して表した平面図である。
【図２３】図２３の（ａ）は第３実施形態の変形例に係るレセプタクルコネクタを簡素化して表した平面図であり、図２３の（ｂ）は更に別の変形例に係るレセプタクルコネクタを簡素化して表した平面図である。
【発明を実施するための形態】
【００２０】
以下に説明される本開示に係る実施形態は本発明を説明するための例示である。従って、本発明は以下の内容に制限されるべきではない。また、以下の説明において同一の要素には同一の符号を付すと共に、重複する説明は省略する。
【００２１】
〔第１実施形態〕
図１に示されるように、第１実施形態に係るコネクタ装置１は、レセプタクルコネクタ１０（電気コネクタ、第２コネクタ）とプラグコネクタ５０（相手方コネクタ、第１コネクタ）とを備えている。レセプタクルコネクタ１０は、一方のプリント配線基板２（配線基板）にハンダ接続等により実装されている。プラグコネクタ５０は、他方のプリント配線基板３にハンダ接続等により実装されている。コネクタ装置１は、プラグコネクタ５０がレセプタクルコネクタ１０に嵌合することにより、プリント配線基板２，３を互いに電気的に接続する。以下の説明において、電気的な接続は単に「接続」と称することがある。
【００２２】
プリント配線基板２は、電気回路２ａ，２ｂを有している。また、プリント配線基板３も、電気回路３ａ，３ｂを有している。これら電気回路２ａ，２ｂ，３ａ，３ｂは、比較的高電流が流れる電源回路であってもよいし、比較的低電流が流れる信号回路であってもよい。レセプタクルコネクタ１０は、電気回路２ａ，２ｂに接続されており、プラグコネクタ５０は、電気回路３ａ，３ｂに接続されている。そして、プラグコネクタ５０がレセプタクルコネクタ１０に嵌合されたとき、電気回路２ａ，３ａが互いに接続されると共に、電気回路２ｂ，３ｂが互いに接続される。これらの接続により、電気回路２ａ，３ａを含む電気回路４と、電気回路２ｂ，３ｂを含む別の電気回路６と、が形成される。
【００２３】
以下の説明においては、説明の便宜上ＸＹＺ座標系を利用して、種々の方向を示すことがある。Ｘ軸方向及びＹ軸方向は、プリント配線基板２，３に対して平行である仮想平面に含まれる。Ｘ軸方向は、レセプタクルコネクタ１０及びプラグコネクタ５０の長手方向（図１のコネクタ装置１における左上から右下に向かう方向）に一致する。Ｙ軸方向は、レセプタクルコネクタ１０及びプラグコネクタ５０の短手方向（図１のコネクタ装置１における右上から左下に向かう方向）に一致する。また、Ｙ軸方向は、後述する対面方向及び対向方向と平行である。Ｚ軸方向は、プリント配線基板２，３の法線方向（図１のコネクタ装置１における上下方向）に一致する。すなわち、Ｚ軸方向は、レセプタクルコネクタ１０とプラグコネクタ５０とが対面する方向に一致する。
【００２４】
〔レセプタクルコネクタ〕
図２に示されるように、プラグコネクタ５０に対して挿抜可能に構成されたレセプタクルコネクタ１０は、レセプタクルハウジング１１（本体、第２本体）と、複数のレセプタクル端子１２（複数の端子、複数の第２端子）と、第１レセプタクル固定金具１３（第１固定金具）と、第２レセプタクル固定金具１４（第２固定金具）と、を有している。
【００２５】
レセプタクルハウジング１１は、電気絶縁性を有する材料により形成されている。Ｘ軸方向（第２方向）に延在する略直方体状を呈するレセプタクルハウジング１１は、プラグコネクタ５０と対面する主面１１ａを有している。レセプタクルハウジング１１には、プラグコネクタ５０を収容するために、主面１１ａに対して窪んだ凹み状の収容部１６が設けられている。収容部１６は、一対の主内壁面である第１及び第２主内壁面１７，１８と、一対の端内壁面である第１及び第２端内壁面１９，２１と、底面２３と、に囲まれた空間である。
【００２６】
Ｘ軸方向に沿って延びる第１及び第２主内壁面１７，１８は、Ｙ軸方向（対面方向）において互いに対面する。第１及び第２端内壁面１９，２１は、第１及び第２主内壁面１７，１８の各端部同士を接続することで形成される。第１端内壁面１９は、レセプタクルハウジング１１のＸ軸方向における一端側に、第１及び第２主内壁面１７，１８のＸ軸方向における一端部同士を接続することで形成される。第２端内壁面２１は、レセプタクルハウジング１１のＸ軸方向における他端側に、第１及び第２主内壁面１７，１８のＸ軸方向における他端部同士を接続することで形成される。第１及び第２端内壁面１９，２１は、互いに異なる法線方向を有する複数の面を含んでいてもよい。
【００２７】
プリント配線基板２，３同士を電気的に接続するためのレセプタクル端子１２は、導電性を有する材料により一体的に形成されている。複数のレセプタクル端子１２は、Ｘ軸方向に沿って並ぶようにレセプタクルハウジング１１に設けられた凹部２４に配置されている。従って、Ｘ軸方向は、端子配列方向であるともいえる。
【００２８】
第１及び第２レセプタクル固定金具１３，１４は、レセプタクルハウジング１１をプリント配線基板２（図１参照）に物理的に固定するための部材である。また、第１及び第２レセプタクル固定金具１３，１４は、収容部１６に挿し込まれたプラグコネクタ５０を挟持する。さらに、第１及び第２レセプタクル固定金具１３，１４は、後述するプラグコネクタ５０の第１及び第２プラグ固定金具５３，５４と電気的に接続される。第１及び第２レセプタクル固定金具１３，１４は、Ｘ軸方向において複数のレセプタクル端子１２を挟むように、レセプタクルハウジング１１の両端部に配置されている。具体的には、第１レセプタクル固定金具１３は、レセプタクルハウジング１１のＸ軸方向における一端側に配置されている。第２レセプタクル固定金具１４は、レセプタクルハウジング１１のＸ軸方向における他端側に配置されている。
【００２９】
第１レセプタクル固定金具１３について説明する。図３の（ｂ）に示されるように、第１レセプタクル固定金具１３は、金具部２６Ａ，２６Ｂを有している。金具部２６Ａ，２６Ｂは、導電性を有する金属材料により形成されている。金具部２６Ａ，２６Ｂは、レセプタクルハウジング１１（図２参照）に、例えば、圧入等により固定される。従って、金具部２６Ａ，２６Ｂは、互いの物理的な位置関係がレセプタクルハウジング１１への固定により維持されている。金具部２６Ａ，２６Ｂのそれぞれは、別体であり、一方が他方に接触しないようにレセプタクルハウジング１１に配置されるので、互いに電気的に絶縁されている。
【００３０】
金具部２６Ａについて説明する。金具部２６Ａは、一枚の金属板が打ち抜き加工により所定の平面形状に形成されて、折り曲げ加工により所定の立体形状に形成されたものである。金具部２６Ａは、金具本体２７と、基板接続部２８と、第１ガイド片２９と、金具接続部３１と、を有し、それらは複数の折り曲げ部３２ａ，３２ｂ，３２ｃと連結部３３ａとにより一体化されている。
【００３１】
金具本体２７は、Ｙ軸方向に延び、その一端部は、レセプタクルハウジング１１に取り付けられたとき、金具部２６Ｂにおける金具本体２７の一端部と対面する。また、他端側には、折り曲げ部３２ａを介してＺ軸方向に延びる連結部３３ａが設けられている。連結部３３ａには、基板接続部２８と金具接続部３１とが連結されている。
【００３２】
基板接続部２８は、連結部３３ａのＺ軸方向における下端側に折り曲げ部３２ｂを介して設けられている。基板接続部２８は、プリント配線基板２の配線パターンに対してハンダ等により物理的に固定される板状の部分である。レセプタクルハウジング１１に配置されたとき、基板接続部２８は、Ｙ軸方向に延び、その一端部が折り曲げ部３２ｂに接続され、他端部が自由端とされている。
【００３３】
金具接続部３１は、連結部３３ａと連結された逆Ｕ字状のバネ部３１ａにより構成されている。バネ部３１ａは、Ｙ軸方向に沿った弾性を有し、レセプタクルハウジング１１に配置されたとき、金具部２６Ｂに設けられたバネ部３１ａとの間の離間幅が、後述するプラグコネクタ５０のプラグハウジング５１のハウジング幅よりもわずかに狭くなる。この構成によれば、プラグコネクタ５０が金具接続部３１の間に挿し込まれると、金具接続部３１間の離間幅が拡大するように金具接続部３１がＹ軸方向に弾性変位する。この弾性変位により、プラグコネクタ５０を挟持するための保持力が発生する。すなわち、バネ部３１ａはＹ軸方向への弾性を有しているので、プラグコネクタ５０を挟持できる。
【００３４】
第１ガイド片２９は、金具本体２７の一端側の上縁において、Ｘ軸方向と直交する側面に設けられている。第１ガイド片２９は、折り曲げ部３２ｃと、Ｚ軸方向に延び、Ｘ軸方向における収容部１６の外郭の一部を構成するガイド面部２９ａとを有している。ガイド面部２９ａの下端側には、レセプタクルハウジング１１に固定される固定部が形成されている。
【００３５】
図４に示されるように、金具部２６Ａは、Ｚ軸方向から見てＬ字状を呈している。金具部２６Ａの一部分は第１主内壁面１７に、別の部分は第１端内壁面１９にそれぞれ配置されている。より詳細には、金具接続部３１は第１主内壁面１７に、第１ガイド片２９は第１端内壁面１９に、それぞれ配置されている。
【００３６】
ここで、「第１主内壁面１７に配置されている」とは、金具部２６Ａの一部分が、第１主内壁面１７の一部分を形成するように配置されていることをいう。以下の説明において「第２主内壁面１８に配置されている」、「第１端内壁面１９に配置されている」、「第２端内壁面２１に配置されている」との記載もそれぞれ同様の意味を有している。
【００３７】
金具部２６Ｂについて説明する。なお、金具部２６Ｂは、図３の（ｂ）に示されるように、Ｘ軸とＺ軸とで構成された面（以下「ＸＺ面」ともいう）を対称面として金具部２６Ａに対して対称となる形状を有している。従って、金具部２６Ｂは、必要な箇所の説明のみ行う。そして、金具部２６Ａと共通する箇所には、同一の符号を付し詳細な説明を省略する。金具部２６Ｂは、図４に示されるように、金具部２６Ａに対して、絶縁性を有するレセプタクルハウジング１１の一部を挟んでＹ軸方向に離間して配置されている。従って、金具部２６Ｂは、金具部２６Ａに対して電気的に絶縁されている。金具部２６Ｂの一部分は第２主内壁面１８に、別の部分は第１端内壁面１９に配置されている。より詳細には、金具接続部３１は第２主内壁面１８に、第１ガイド片２９は第１端内壁面１９にそれぞれ配置されている。
【００３８】
第２レセプタクル固定金具１４について説明する。なお、第２レセプタクル固定金具１４は、第１レセプタクル固定金具１３に対して配置される位置が異なるのみであり、単体の構成は第１レセプタクル固定金具１３と同じである。従って、第２レセプタクル固定金具１４は、必要な箇所の説明のみ行う。そして、第１レセプタクル固定金具１３と共通する箇所には、同一の符号を付し詳細な説明を省略する。第２レセプタクル固定金具１４は、金具部３４Ａ，３４Ｂを有している。
【００３９】
金具部３４Ａ，３４Ｂについて説明する。なお、金具部３４Ａ，３４Ｂは、金具部２６Ａ，２６Ｂに対して配置される位置が異なるのみであり、単体の構成は金具部２６Ａ，２６Ｂとそれぞれ同じである。従って、金具部３４Ａ，３４Ｂは、必要な箇所の説明のみ行う。そして、金具部２６Ａ，２６Ｂと共通する箇所には、同一の符号を付し詳細な説明を省略する。金具部３４Ａ，３４Ｂは、導電性を有する金属材料により形成されている。また、金具部３４Ｂは、図４に示されるように、金具部３４Ａに対して、絶縁性を有するレセプタクルハウジング１１の一部を挟んでＹ軸方向に離間して配置されている。従って、金具部３４Ｂは、金具部３４Ａに対して電気的に絶縁されている。金具部３４Ａの一部分は第１主内壁面１７に、別の部分は第２端内壁面２１にそれぞれ配置されている。より詳細には、金具接続部３１は第１主内壁面１７に、第１ガイド片２９は第２端内壁面２１にそれぞれ配置されている。また、金具部３４Ｂの一部分は第２主内壁面１８に、別の部分は第２端内壁面２１にそれぞれ配置されている。より詳細には、金具接続部３１は第２主内壁面１８に、第１ガイド片２９は第２端内壁面２１にそれぞれ配置されている。
【００４０】
〔プラグコネクタ〕
図２に示されるように、レセプタクルコネクタ１０に対して挿抜可能に構成されたプラグコネクタ５０は、プラグハウジング５１（相手方本体、第１本体）と、複数のプラグ端子５２（複数の相手方端子、複数の第１端子）と、第１プラグ固定金具５３（相手方固定金具）と、第２プラグ固定金具５４（相手方固定金具）と、を有している。
【００４１】
プラグハウジング５１は、電気絶縁性を有する材料により形成されている。Ｘ軸方向（第１方向）に延在する略直方体状を呈するプラグハウジング５１は、図５に示すように、レセプタクルハウジング１１と対面する主面５１ａを有している。プラグハウジング５１は、レセプタクルハウジング１１の収容部１６に収容される。プラグハウジング５１は、一対の主外壁面である第１及び第２主外壁面５７，５８と、一対の端外壁面である第１及び第２端外壁面５９，６１と、主面５１ａと、基板面５１ｂと、を有している（図２参照）。
【００４２】
Ｘ軸方向に沿って延びる第１及び第２主外壁面５７，５８は、Ｙ軸方向（対面方向）において互いに対向する。第１及び第２端外壁面５９，６１は、第１及び第２主外壁面５７，５８の各端部同士を接続することで形成される。第１端外壁面５９は、プラグハウジング５１のＸ軸方向における一端側に、第１及び第２主外壁面５７，５８のＸ軸方向における一端部同士を接続することで形成される。第２端外壁面６１は、プラグハウジング５１のＸ軸方向における他端側に、第１及び第２主外壁面５７，５８のＸ軸方向における他端部同士を接続することで形成される。第１及び第２端外壁面５９，６１は、互いに異なる法線方向を有する複数の面を含んでいてもよい。
【００４３】
プリント配線基板２，３同士を電気的に接続するためのプラグ端子５２は、導電性を有する材料により一体的に形成されている。複数のプラグ端子５２は、Ｘ軸方向に沿って並ぶようにプラグハウジング５１に配置されている。
【００４４】
第１及び第２プラグ固定金具５３，５４は、プラグハウジング５１をプリント配線基板３に物理的に固定するための部材である。また、第１及び第２プラグ固定金具５３，５４は、収容部１６に挿し込まれたときに、レセプタクルコネクタ１０の第１及び第２レセプタクル固定金具１３，１４に挟持される。さらに、第１及び第２プラグ固定金具５３，５４は、第１及び第２レセプタクル固定金具１３，１４と電気的に接続される。第１及び第２プラグ固定金具５３，５４は、Ｘ軸方向において複数のプラグ端子５２を挟むように、プラグハウジング５１の両端部に配置されている。具体的には、第１プラグ固定金具５３は、プラグハウジング５１のＸ軸方向における一端側に配置されている。第２プラグ固定金具５４は、プラグハウジング５１のＸ軸方向における他端側に配置されている。
【００４５】
第１プラグ固定金具５３について説明する。図３の（ａ）に示されるように、第１プラグ固定金具５３は、金具部６２Ａ，６２Ｂ（相手方金具部）を有している。金具部６２Ａ，６２Ｂは、導電性を有する金属材料により形成されている。金具部６２Ａ，６２Ｂの一部分は、プラグハウジング５１を構成する樹脂材料に、例えば、インサート成形等により埋め込まれている。従って、金具部６２Ａ，６２Ｂは、互いの物理的な位置関係がプラグハウジング５１への埋め込みにより維持されている。金具部６２Ａ，６２Ｂのそれぞれは、別体であり、一方が他方に接触しないようにプラグハウジング５１にそれぞれ配置されるので、互いに電気的に絶縁されている。
【００４６】
金具部６２Ａについて説明する。金具部６２Ａは、一枚の金属板が打ち抜き加工により所定の平面形状に形成されて、折り曲げ加工により所定の立体形状に形成されたものである。金具部６２Ａは、金具本体６３と、基板接続部６４と、第１ガイド片６６と、金具接続部６７と、を有し、それらは複数の折り曲げ部６８ａ，６８ｂ，６８ｃにより一体化されている。
【００４７】
金具本体６３の一端部は、プラグハウジングに５１に取り付けられたとき、金具部６２Ｂにおける金具本体６３の一端部と対面する。
【００４８】
金具接続部６７は、金具本体６３の他端側に、折り曲げ部６８ａを介してＺ軸方向に延びるように設けられている。プラグコネクタ５０がレセプタクルコネクタ１０に挿し込まれたとき、金具接続部６７は、レセプタクルコネクタ１０の金具接続部３１と接触する。金具本体６３のＸ軸方向における一端側には、第１ガイド片６６が設けられている。
【００４９】
第１ガイド片６６は、折り曲げ部６８ｂとＺ軸方向に延びるガイド面６６ａとを有している。プラグコネクタ５０がレセプタクルコネクタ１０に挿し込まれるとき、第１ガイド片６６は、レセプタクルコネクタ１０の第１ガイド片２９と協働し、プラグコネクタ５０のプラグハウジング５１をレセプタクルコネクタ１０の収容部１６に導く。
【００５０】
基板接続部６４は、第１ガイド片６６のＺ軸方向における一端側に折り曲げ部６８ｃを介して設けられている。基板接続部６４は、プリント配線基板３の配線パターンに対してハンダ等により物理的に固定される板状の部分である。基板接続部６４は、Ｙ軸方向に延び、その一端部が折り曲げ部６８ｃに接続され、他端部が自由端とされている。
【００５１】
図５に示されるように、金具部６２Ａの一部分は第１主外壁面５７に、別の部分は第１端外壁面５９にそれぞれ配置されている。より詳細には、金具接続部６７は第１主外壁面５７に、第１ガイド片６６は第１端外壁面５９に、基板接続部６４は第１主外壁面５７における基板面５１ｂ側にそれぞれ配置されている（図２，３，５参照）。
【００５２】
金具部６２Ｂについて説明する。なお、金具部６２Ｂは、図３の（ａ）に示されるように、ＸＺ面を対称面として、金具部６２Ａに対して対称となる形状を有している。従って、金具部６２Ｂは、必要な箇所の説明のみ行う。そして、金具部６２Ａと共通する箇所には、同一の符号を付し詳細な説明を省略する。金具部６２Ｂは、図５に示されるように、金具部６２Ａに対して絶縁性を有するプラグハウジング５１の一部を挟んでＹ軸方向に離間して配置されている。従って、金具部６２Ｂは、金具部６２Ａに対して電気的に絶縁されている。金具部６２Ｂの一部分は第２主外壁面５８に、別の部分は第１端外壁面５９にそれぞれ配置されている。より詳細には、金具接続部６７は第２主外壁面５８に、第１ガイド片６６は第１端外壁面５９に、基板接続部６４は第２主外壁面５８における基板面５１ｂ側にそれぞれ配置されている（図２，３，５参照）。
【００５３】
第２プラグ固定金具５４について説明する。なお、第２プラグ固定金具５４は、第１プラグ固定金具５３に対して配置される位置が異なるのみであり、単体の構成は第１プラグ固定金具５３と同じである。従って、第２プラグ固定金具５４は、必要な箇所の説明のみ行う。そして、第１プラグ固定金具５３と共通する箇所には、同一の符号を付し詳細な説明を省略する。第２プラグ固定金具５４は、金具部６９Ａ，６９Ｂを有している。
【００５４】
金具部６９Ａ，６９Ｂについて説明する。なお、金具部６９Ａ，６９Ｂは、金具部６２Ａ，６２Ｂに対して配置される位置が異なるのみであり、単体の構成は金具部６２Ａ，６２Ｂと同じである。従って、金具部６９Ａ，６９Ｂは、必要な箇所の説明のみ行う。そして、金具部６２Ａ，６２Ｂと共通する箇所には、同一の符号を付し詳細な説明を省略する。金具部６９Ａ，６９Ｂは、導電性を有する金属材料により形成されている。また、金具部６９Ｂは、図５に示されるように、金具部６９Ａに対して、絶縁性を有するプラグハウジング５１の一部を挟んでＹ軸方向に離間して配置されている。従って、金具部６９Ｂは、金具部６９Ａに対して電気的に絶縁されている。金具部６９Ａの一部分は第１主外壁面５７に、別の部分は第２端外壁面６１にそれぞれ配置されている。より詳細には、金具接続部６７は第１主外壁面５７に、第１ガイド片６６は第２端外壁面６１に、基板接続部６４は第１主外壁面５７における基板面５１ｂ側にそれぞれ配置されている（図２，３，５参照）。また、金具部６９Ｂの一部分は第２主外壁面５８に、別の部分は第２端外壁面６１にそれぞれ配置されている。より詳細には、金具接続部６７は第２主外壁面５８に、第１ガイド片６６は第２端外壁面６１に、基板接続部６４は第２主外壁面５８における基板面５１ｂ側にそれぞれ配置されている（図２，３，５参照）。
【００５５】
以下、第１実施形態に係るコネクタ装置１の作用効果について説明する。
【００５６】
このコネクタ装置１では、レセプタクルハウジング１１が第１及び第２レセプタクル固定金具１３，１４によってプリント配線基板２に接続される。ここで第１及び第２レセプタクル固定金具１３，１４は金具部２６Ａ，２６Ｂ，３４Ａ，３４Ｂで構成されるので、レセプタクルコネクタ１０は４個の金具部２６Ａ，２６Ｂ，３４Ａ，３４Ｂを有していることになる。そして、金具部２６Ａ，２６Ｂは、互いに電気的に絶縁されると共に、金具部３４Ａ，３４Ｂも互いに電気的に絶縁されている。金具部２６Ａ，３４Ａの基板接続部２８は、プリント配線基板２の電気回路２ａの両端に電気的にそれぞれ接続されている。そして、金具部２６Ａ，３４Ａの金具接続部３１は、レセプタクルコネクタ１０とプラグコネクタ５０との嵌合時、プラグコネクタ５０の金具接続部６７に接触することにより、電気的に接続される。従って、電気回路２ａが金具部２６Ａ，３４Ａによってプラグコネクタ５０に電気的に接続されるので、電気回路２ａをプリント配線基板３に形成された電気回路３ａに接続して、電気回路４を形成することができる。一方、金具部２６Ｂ，３４Ｂは、金具部２６Ａ，３４Ａに対して電気的に絶縁されている。そのため、金具部２６Ｂ，３４Ｂによっても、金具部２６Ａ，３４Ａによって形成される電気回路４とは別の電気回路６を形成することが可能になる。従って、本実施形態に係るコネクタ装置１及びレセプタクルコネクタ１０によれば、電気回路数を増加させることができる。
【００５７】
ここで、レセプタクルコネクタ１０にプラグコネクタ５０を挿し込むときにレセプタクルコネクタ１０が奏するガイド機能について説明する。ガイド機能とは、プラグコネクタ５０の姿勢をレセプタクルコネクタ１０に嵌合可能な姿勢に修正する機能をいう。また、ここでいう「姿勢」とは、レセプタクルコネクタ１０に対するプラグコネクタ５０の三次元座標を基準とした三次元位置や、三次元座標の軸線を基準とした傾きをいう。プラグコネクタ５０をレセプタクルコネクタ１０に物理的に嵌合し得るときにレセプタクルコネクタ１０に対するプラグコネクタ５０の姿勢は唯一である。従って、プラグコネクタ５０にレセプタクルコネクタ１０を挿し込むにあたっては、レセプタクルコネクタ１０に対するプラグコネクタ５０の姿勢を嵌合可能な姿勢に一致させてから挿入することが望ましい。しかし、実際の組み立て作業においては、プラグコネクタ５０の姿勢を嵌合可能な姿勢に一致させてから挿入を行うと手間がかかる。そこで、レセプタクルコネクタ１０あるいはプラグコネクタ５０がプラグコネクタ５０の姿勢を嵌合可能な姿勢に修正する機能を有していれば、挿し込み作業の開始時にプラグコネクタ５０の姿勢を嵌合可能な姿勢に一致させなくても、挿入作業中においてプラグコネクタ５０の姿勢が修正されて、最終的にレセプタクルコネクタ１０にプラグコネクタ５０を嵌合できる。
【００５８】
図６の（ａ）に示されるように、レセプタクルコネクタ１０に対してＺ軸方向に離間したプラグコネクタ５０がある。このプラグコネクタ５０は、Ｘ軸方向において干渉Ｍを形成している。図６の（ｂ）に示されるように、プラグコネクタ５０をレセプタクルコネクタ１０に近づけるようにＺ軸の負方向に移動させると、プラグコネクタ５０の主面５１ａとレセプタクルコネクタ１０の主面１１ａとが当接し、互いの主面５１ａ，１１ａを摺動させることで、レセプタクルコネクタ１０の折り曲げ部３２ｃに、プラグコネクタ５０の折り曲げ部６８ｂが当接する。図６の（ｃ）に示されるように、折り曲げ部３２ｃに折り曲げ部６８ｂが当接した状態でさらにプラグコネクタ５０をＺ軸の負方向に移動させると、プラグコネクタ５０は、折り曲げ部３２ｃの表面に沿ってＺ軸の負方向へ移動しながらＸ軸の負方向へも移動する。さらにプラグコネクタ５０をＺ軸の負方向に移動させると、プラグコネクタ５０の第１端外壁面５９とレセプタクルコネクタ１０の第１端内壁面１９とがＸ軸方向において一致する。この時点で、干渉Ｍはゼロになる。そして、図６の（ｄ）に示されるように、プラグコネクタ５０は、レセプタクルコネクタ１０の第１端内壁面１９に当接しながらＺ軸方向に沿ってレセプタクルコネクタ１０に挿し込まれる。折り曲げ部３２ｃを含む第１ガイド片２９及び折り曲げ部６８ｂを含む第１ガイド片６６によれば、プラグコネクタ５０とレセプタクルコネクタ１０とがＸ軸方向において干渉Ｍを形成する場合であっても、プラグコネクタ５０がレセプタクルコネクタ１０に干渉する状態を解消することができる。従って、プラグコネクタ５０の姿勢をレセプタクルコネクタ１０に挿し込み可能な姿勢に修正することができる。このとき、各コネクタ１０，５０の他端側も差し込み可能な姿勢に修正されている。
【００５９】
折り曲げ部３２ｃ，６８ｂのそれぞれにおいて、互いに接触可能な面は曲面状である。曲面状を有する折り曲げ部３２ｃ，６８ｂが互いに接触した状態では、レセプタクルハウジング１１に対してプラグハウジング５１を円滑に移動させることが可能になる。従って、レセプタクルハウジング１１に対してプラグハウジング５１を容易に挿入することができる。
【００６０】
なお、折り曲げ部３２ｃ，６８ｂは、必ずしもレセプタクルコネクタ１０及びプラグコネクタ５０の両方が有している必要は無く、少なくとも一方に設けられていればよい。例えば、レセプタクルコネクタ１０が折り曲げ部３２ｃを有する場合には、プラグコネクタ５０は折り曲げ部６８ｂに代わって平坦面状に形成された傾斜面等であってもよい。また、プラグコネクタ５０が折り曲げ部６８ｂを有する場合には、レセプタクルコネクタ１０は折り曲げ部３２ｃに代わって平坦面状に形成された傾斜面等であってもよい。
【００６１】
〔第２実施形態〕
第２実施形態に係るコネクタ装置について説明する。第２実施形態に係るコネクタ装置は、第１及び第２レセプタクル固定金具が第２ガイド片をさらに有する点で第１実施形態に係るコネクタ装置１と相違する。従って、以下の説明においては、第１実施形態に係るコネクタ装置１と相違する構成を中心に、必要な箇所の説明のみ行う。そして、第１実施形態に係るコネクタ装置１と共通する箇所には、同一の符号を付し詳細な説明を省略する。
【００６２】
図７に示されるように、コネクタ装置１Ａは、レセプタクルコネクタ１０Ａと、プラグコネクタ５０Ａとを備えている。レセプタクルコネクタ１０Ａは、Ｘ軸方向におけるレセプタクルハウジング１１Ａの一端側に配置された第１レセプタクル固定金具１３Ａと、他端側に配置された第２レセプタクル固定金具１４Ａと、を有している。また、プラグコネクタ５０Ａは、Ｘ軸方向におけるプラグハウジング５１Ａの一端側に配置された第１プラグ固定金具５３Ａと、他端側に配置された第２プラグ固定金具５４Ａと、を有している。
【００６３】
〔レセプタクルコネクタ〕
図９に示されるように、第２実施形態のレセプタクルコネクタ１０Ａは、第１実施形態のレセプタクルコネクタ１０が備える第１及び第２レセプタクル固定金具１３，１４とは異なる構成を有する第１及び第２レセプタクル固定金具１３Ａ，１４Ａを備える点でレセプタクルコネクタ１０と相違する。第２実施形態のレセプタクルコネクタ１０Ａのその他の構成は、レセプタクルコネクタ１０と共通である。第１レセプタクル固定金具１３Ａについて説明する。図８の（ｂ）に示されるように、第１レセプタクル固定金具１３Ａは、金具部３６Ａ，３６Ｂを有している。金具部３６Ａ，３６Ｂは、導電性を有する金属材料により形成されている。金具部３６Ａ，３６Ｂは、レセプタクルハウジング１１Ａ（図９参照）に、例えば、圧入等により固定されている。従って、金具部３６Ａ，３６Ｂは、互いの物理的な位置関係がレセプタクルハウジング１１への固定により維持されている。金具部３６Ａ，３６Ｂのそれぞれは、一方が他方に対して接触していない状態でレセプタクルハウジング１１Ａに配置されるので、互いに電気的に絶縁されている。
【００６４】
図８の（ｂ）に示されるように、金具部３６Ａについて説明する。金具部３６Ａは、金具本体３７と、基板接続部３８と、第１ガイド片３９と、金具接続部４１と、第２ガイド片４２とを有し、それらは複数の折り曲げ部４３ａ〜４３ｇと連結部４４ａ，４４ｂとにより一体化されている。
【００６５】
金具本体３７は、Ｙ軸方向に延び、その一端部は、レセプタクルハウジング１１Ａに取り付けられたとき、金具部３６Ｂに設けられた金具本体３７の一端部と対面する。また、金具本体３７の他端側には、折り曲げ部４３ａを介してＸ軸方向に延びる連結部４４ａが設けられている。
【００６６】
基板接続部３８は、連結部４４ａの下縁に、折り曲げ部４３ｂを介して設けられている。基板接続部３８は、プリント配線基板２の配線パターンに対してハンダ等により物理的に固定される板状の部分である。
【００６７】
金具接続部４１は、連結部４４ａの残る端部に折り曲げ部４３ｃを介して設けられている。金具接続部４１はその断面が略Ｕ字状を呈し、折り曲げ部４３ｃからＹ軸の負方向及びＺ軸の負方向に延び、先端部は自由端とされている。このとき、折り曲げ部４３ｃから金具接続部４１までの部分はＹ軸方向への弾性を有しているので、プラグコネクタ５０Ａを挟持する。
【００６８】
第１ガイド片３９は、金具本体３７の一端側における上縁に、折り曲げ部４３ｄ及び連結部４４ｂを介して設けられている。第１ガイド片３９は、Ｘ軸方向において金具接続部４１よりも金具本体３７の近くに設けられている。第１ガイド片３９は、連結部４４ｂに接続された折り曲げ部４３ｅと、当該折り曲げ部４３ｅからＺ軸方向に延び、収容部１６の外郭の一部を構成するガイド面部３９ａとを有している。ガイド面部３９ａの下端側には、レセプタクルハウジング１１Ａに固定される固定部が形成されている。
【００６９】
第２ガイド片４２は、ガイド面部３９ａの側縁に折り曲げ部４３ｆを介して設けられている。第２ガイド片４２は、Ｙ軸方向における収容部１６の外郭の一部を構成するＺ軸方向に延びるガイド面部４２ａと、当該ガイド面部４２ａの上端部から折り曲げ部４３ｇを介してＹ軸方向に延びるガイド端部４２ｂとを有している。
【００７０】
図９に示されるように、金具部３６ＡはＺ軸方向から見てＬ字状を呈している。金具部３６Ａの一部分は第１主内壁面１７に、別の部分は第１端内壁面１９にそれぞれ配置されている。より詳細には、金具接続部４１及び第２ガイド片４２は第１主内壁面１７に、第１ガイド片３９は第１端内壁面１９にそれぞれ配置されている。
【００７１】
金具部３６Ｂについて説明する。なお、金具部３６Ｂは、図８の（ｂ）に示されるように、ＸＺ面を対称面として、金具部３６Ａに対して対称となる形状を有している。従って、金具部３６Ｂは、必要な箇所の説明のみ行う。そして、金具部３６Ａと共通する箇所には、同一の符号を付し詳細な説明を省略する。金具部３６Ｂは、金具部３６Ａに対してＹ軸方向に離間して配置されている。従って、金具部３６Ｂは、金具部３６Ａに対して電気的に絶縁されている。金具部３６Ｂの一部分は第２主内壁面１８に、別の部分は第１端内壁面１９にそれぞれ配置されている。より詳細には、金具接続部４１及び第２ガイド片４２は第２主内壁面１８に、第１ガイド片３９は第１端内壁面１９に、それぞれ配置されている。
【００７２】
第２レセプタクル固定金具１４Ａについて説明する。なお、第２レセプタクル固定金具１４Ａは、第１レセプタクル固定金具１３Ａに対して配置される位置が異なるのみであり、単体の構成は第１レセプタクル固定金具１３Ａと同じである。従って、第２レセプタクル固定金具１４Ａは、必要な箇所の説明のみ行う。そして、第１レセプタクル固定金具１３Ａと共通する箇所には、同一の符号を付し詳細な説明を省略する。第２レセプタクル固定金具１４Ａは、金具部４５Ａ，４５Ｂを有している。
【００７３】
金具部４５Ａ，４５Ｂについて説明する。なお、金具部４５Ａ，４５Ｂは、金具部３６Ａ，３６Ｂに対して配置される位置が異なるのみであり、単体の構成は金具部３６Ａ，３６Ｂと同じである。従って、金具部４５Ａ，４５Ｂは、必要な箇所の説明のみ行う。そして、金具部３６Ａ，３６Ｂと共通する箇所には、同一の符号を付し詳細な説明を省略する。金具部４５Ａ，４５Ｂは、導電性を有する金属材料により形成されている。また、金具部４５Ｂは、金具部４５Ａに対してＹ軸方向に離間して配置されている。従って、金具部４５Ｂは、金具部４５Ａに対して電気的に絶縁されている。金具部４５Ａの一部分は第１主内壁面１７に、別の部分は第２端内壁面２１に、それぞれ配置されている。より詳細には、金具部４５Ａにおける金具接続部４１及び第２ガイド片４２は第１主内壁面１７に、第１ガイド片３９は第２端内壁面２１に、それぞれ配置されている。金具部４５Ｂの一部分は第２主内壁面１８に、別の部分は第２端内壁面２１にそれぞれ配置されている。より詳細には、金具接続部４１及び第２ガイド片４２は第２主内壁面１８に、第１ガイド片２９は第２端内壁面２１に、それぞれ配置されている。
【００７４】
〔プラグコネクタ〕
図１０に示されるように、第２実施形態のプラグコネクタ５０Ａは、第１実施形態のプラグコネクタ５０が備える第１及び第２プラグ固定金具５３，５４とは異なる構成を有する第１及び第２プラグ固定金具５３Ａ，５４Ａを備える点でプラグコネクタ５０と相違する。第２実施形態のプラグコネクタ５０Ａのその他の構成は、プラグコネクタ５０と共通である。第１プラグ固定金具５３Ａについて説明する。図８の（ａ）に示されるように、第１プラグ固定金具５３Ａは、金具部７１Ａ，７１Ｂを有している。金具部７１Ａ，７１Ｂは、プラグハウジング５１Ａを構成する樹脂材料に、例えば、インサート成形等により埋め込まれている。従って、金具部７１Ａ，７１Ｂは、互いの物理的な位置関係がプラグハウジング５１Ａへの埋め込みにより維持されている。金具部７１Ａ，７１Ｂのそれぞれは、別体であり、一方が他方に対して接触していない状態でプラグハウジング５１Ａに配置されるので、電気的に絶縁されている。
【００７５】
金具部７１Ａについて説明する。図８の（ａ）に示されるように、金具部７１Ａは、金具本体７２と、基板接続部７３と、第１ガイド片７４と、金具接続部７６と、第２ガイド片７７とを有し、それらは複数の折り曲げ部７８ａ〜７８ｃと連結部７９ａとにより一体化されている。
【００７６】
金具本体７２は、Ｚ軸方向から見てＬ字状を呈し、Ｘ軸方向に延びる部分とＹ軸方向に延びる部分とを有している。Ｙ軸方向に延びた金具本体７２の一端部は、プラグハウジング５１Ａに取り付けられたとき、金具部７１Ｂの金具本体７２の一端部と対面している。
【００７７】
金具接続部７６は、Ｘ軸方向に延びた金具本体７２の側縁に、折り曲げ部７８ａを介してＺ軸方向に延びるように設けられている。プラグコネクタ５０Ａがレセプタクルコネクタ１０Ａに挿し込まれたとき、金具接続部７６は、第１レセプタクル固定金具１３Ａの金具接続部４１と第２ガイド片４２とに接触される。従って、金具接続部７６は、第１実施形態の金具接続部６７よりも、第２ガイド片４２に対応した部分を有している分だけＸ軸方向における長さが長い。また、この折り曲げ部７８ａ及び金具接続部７６は、第２ガイド片７７を構成する。
【００７８】
第１ガイド片７４は、Ｙ軸方向に延びた金具本体７２の側縁に設けられている。第１ガイド片７４は、折り曲げ部７８ｂと、Ｚ軸方向に延びるガイド面７４ａとを有している。Ｚ軸方向におけるガイド面７４ａの上縁には、折り曲げ部７８ｃを介して連結部７９ａが設けられている。
【００７９】
基板接続部７３は、Ｘ軸方向における連結部７９ａの端部に設けられている。基板接続部７３は、プリント配線基板２の配線パターンに対してハンダ等により物理的に固定される板状の部分である。基板接続部７３は、Ｙ軸方向に延び、その一端部が連結部７９ａに接続され、他端部が自由端とされている。
【００８０】
図１０に示されるように、金具部７１Ａの一部分は第１主外壁面５７に、別の部分は第１端外壁面５９に、それぞれ配置されている。より詳細には、金具接続部７６及び第２ガイド片７７は第１主外壁面５７に、第１ガイド片７４は第１端外壁面５９に、基板接続部７３は第１主外壁面５７の基板面５１ｂ側に、それぞれ配置されている。
【００８１】
金具部７１Ｂについて説明する。なお、金具部７１Ｂは、図８の（ａ）に示されるように、ＸＺ面を対称面として、金具部７１Ａに対して対称となる形状を有している。従って、金具部７１Ｂは、必要な箇所の説明のみ行う。そして、金具部７１Ａと共通する箇所には、同一の符号を付し詳細な説明を省略する。金具部７１Ｂは、図１０に示されるように、プラグハウジング５１Ａに取り付けられた際、金具部７１Ａに対してＹ軸方向に離間して配置されている。従って、金具部７１Ｂは、金具部７１Ａに対して電気的に絶縁されている。金具部７１Ｂの一部分は第２主外壁面５８に、別の部分は第１端外壁面５９に、それぞれ配置されている。より詳細には、金具接続部７６及び第２ガイド片７７は第２主外壁面５８に、第１ガイド片７４は第１端外壁面５９に、基板接続部７３は第２主外壁面５８の基板面５１ｂ側に、それぞれ配置されている。
【００８２】
第２プラグ固定金具５４Ａについて説明する。なお、第２プラグ固定金具５４Ａは、第１プラグ固定金具５３Ａに対して配置される位置が異なるのみであり、単体の構成は第１プラグ固定金具５３Ａと同じである。従って、第２プラグ固定金具５４Ａは、必要な箇所の説明のみ行う。そして、第１プラグ固定金具５３Ａと共通する箇所には、同一の符号を付し詳細な説明を省略する。プラグコネクタ５０Ａが備える第２プラグ固定金具５４Ａは、金具部８１Ａ，８１Ｂを有している。
【００８３】
金具部８１Ａ，８１Ｂについて説明する。なお、金具部８１Ａ，８１Ｂは、金具部７１Ａ，７１Ｂに対して配置される位置が異なるのみであり、単体の構成は金具部７１Ａ，７１Ｂと同じである。従って、金具部８１Ａ，８１Ｂは、必要な箇所の説明のみ行う。そして、金具部７１Ａ，７１Ｂと共通する箇所には、同一の符号を付し詳細な説明を省略する。金具部８１Ａ，８１Ｂは、導電性を有する金属材料により形成されている。また、金具部８１Ｂは、図１０に示されるように、プラグハウジング５１Ａに取り付けられた際、金具部８１Ａに対してＹ軸方向に離間して配置されている。従って、金具部８１Ｂは、金具部８１Ａに対して電気的に絶縁されている。金具部８１Ａの一部分は第１主外壁面５７に、別の部分は第２端外壁面６１に、それぞれ配置されている。より詳細には、金具接続部７６及び第２ガイド片７７は第１主外壁面５７に、第１ガイド片７４は第２端外壁面６１に、基板接続部７３は第１主外壁面５７の基板面５１ｂ側に、それぞれ配置されている。金具部８１Ｂの一部分は第２主外壁面５８に、別の部分は第２端外壁面６１に、それぞれ配置されている。より詳細には、金具接続部７６及び第２ガイド片７７は第２主外壁面５８に、第１ガイド片７４は第２端外壁面６１に、基板接続部７３は第２主外壁面５８の基板面５１ｂ側に、それぞれ配置されている。
【００８４】
以下、第２実施形態に係るコネクタ装置１Ａの作用効果について説明する。
【００８５】
第２実施形態に係るコネクタ装置１Ａによれば、第１実施形態に係るコネクタ装置１と同様に、電気回路数を増加させることができる。
【００８６】
また、コネクタ装置１Ａは、第１及び第２レセプタクル固定金具１３Ａ，１４Ａが第１ガイド片３９を、第１及び第２プラグ固定金具５３Ａ，５４Ａが第１ガイド片７４を、それぞれ有している。従って、第１実施形態に係るコネクタ装置１と同様に、プラグコネクタ５０Ａをレセプタクルコネクタ１０Ａに挿し込む場合において、プラグコネクタ５０Ａとレセプタクルコネクタ１０ＡとのＸ軸方向における干渉状態を解消することができる。従って、Ｘ軸方向において、プラグコネクタ５０Ａの姿勢をレセプタクルコネクタ１０Ａに挿し込み可能な姿勢に修正することができる。
【００８７】
さらに、コネクタ装置１Ａは、第１及び第２レセプタクル固定金具１３Ａ，１４Ａが第２ガイド片４２を、第１及び第２プラグ固定金具５３Ａ，５４Ａが第２ガイド片７７を、それぞれ有している。第２ガイド片４２，７７は、第１ガイド片３９，７４とは異なる方向を向いている。具体的には、第１ガイド片３９，７４はその法線方向がＸ軸方向を向いているのに対し、第２ガイド片４２，７７はその法線方向がＹ軸方向を向いている。法線方向がＸ軸方向を向く第１ガイド片３９，７４によれば、プラグコネクタ５０Ａとレセプタクルコネクタ１０ＡとのＸ軸方向における干渉状態を解消することができる。一方、法線方向がＹ軸方向を向く第２ガイド片４２，７７によれば、プラグコネクタ５０Ａとレセプタクルコネクタ１０ＡとのＹ軸方向における干渉状態を解消することができる。従って、Ｙ軸方向において、プラグコネクタ５０Ａの姿勢をレセプタクルコネクタ１０Ａに挿し込み可能な姿勢に修正することができる。
【００８８】
従って、上記構成によれば、第１プラグ固定金具５３Ａの第２ガイド片７７はＹ軸方向において互いに対向する。また、第２プラグ固定金具５４Ａにおける金具部８１Ａ，８１Ｂの第２ガイド片７７もＹ軸方向において互いに対面する。このような配置によれば、プラグコネクタ５０Ａをレセプタクルコネクタ１０Ａに挿し込むとき、プラグコネクタ５０ＡのＹ軸方向への動きを規制して、プラグコネクタ５０Ａを収容部１６へ導くことができる。
【００８９】
要するに、第１実施形態に係るコネクタ装置１では、Ｘ軸方向においてのみプラグコネクタ５０とレセプタクルコネクタ１０との干渉を解消することができた。一方、第２実施形態に係るコネクタ装置１Ａでは、Ｘ軸方向における干渉だけでなく、Ｙ軸方向におけるプラグコネクタ５０Ａとレセプタクルコネクタ１０Ａとの干渉をも解消することができる。従って、レセプタクルハウジング１１Ａに対してプラグハウジング５１Ａを挿入する作業をさらに容易に行うことができる。
【００９０】
〔第３実施形態〕
第３実施形態に係るコネクタ装置について説明する。第３実施形態に係るコネクタ装置は、レセプタクルコネクタ１０Ｂの第１及び第２端内壁面１９Ｂ，２１ＢがＺ軸方向から見てテーパ状の形状を有する点と、第１ガイド部に代わる第３ガイド部１０４を備える点と、において第１実施形態に係るコネクタ装置１と相違する。従って、以下の説明においては、第１実施形態に係るコネクタ装置１と相違する構成を中心に、必要な箇所の説明のみ行う。そして、第１実施形態に係るコネクタ装置１と共通する箇所には、同一の符号を付し詳細な説明を省略する。
【００９１】
図１１に示されるように、第３実施形態に係るコネクタ装置１Ｂは、レセプタクルコネクタ１０Ｂとプラグコネクタ５０Ｂとを備えている。レセプタクルコネクタ１０Ｂは、Ｘ軸方向におけるレセプタクルハウジング１１Ｂの一端側に配置された第１レセプタクル固定金具１３Ｂと、他端側に配置された第２レセプタクル固定金具１４Ｂと、を有している。また、プラグコネクタ５０Ｂは、Ｘ軸方向におけるプラグハウジング５１Ｂの一端側に配置された第１プラグ固定金具５３Ｂと、他端側に配置された第２プラグ固定金具５４Ｂと、を有している。
【００９２】
レセプタクルコネクタ１０Ｂ及びプラグコネクタ５０Ｂの一端側の形状について説明する。なお、レセプタクルコネクタ１０Ｂ及びプラグコネクタ５０の他端側の形状は、一端側に対して形成される位置が異なるのみであり、単体の構成は一端側の形状と同じである。従って、他端側の形状は、必要な箇所の説明のみ行う。そして、一端側の形状と共通する箇所には、同一の符号を付し詳細な説明を省略する。
【００９３】
図１２に示されるように、レセプタクルコネクタ１０Ｂの一端側は、第１及び第２主内壁面１７，１８の一端側と、第１端内壁面１９Ｂとを有している。第１端内壁面１９Ｂは、第１レセプタクル案内面１９ａ，１９ｂ（一対の領域、第１領域）と、レセプタクル先端面１９ｃと、を有している。第１レセプタクル案内面１９ａの一端部は第１主内壁面１７の一端側に、第１レセプタクル案内面１９ｂの一端部は第２主内壁面１８の一端側に、それぞれ接続されている。レセプタクル先端面１９ｃの一端部は第１レセプタクル案内面１９ａの他端側に、レセプタクル先端面１９ｃの他端部は第１レセプタクル案内面１９ｂの他端側に、それぞれ接続されている。すなわち、第１端内壁面１９Ｂは、第１主内壁面１７の一端部から第２主内壁面１８の一端部までの間において、第１レセプタクル案内面１９ａ、レセプタクル先端面１９ｃ、第１レセプタクル案内面１９ｂの順に形成されている。
【００９４】
第１レセプタクル案内面１９ａは、第１レセプタクル案内面１９ｂとＹ軸方向において対面している。すなわち、第１レセプタクル案内面１９ａ，１９ｂは、レセプタクルハウジング１１ＢのＸ軸方向に沿う軸線Ａ１を含んだＸＺ平面に対して対称の関係にある。第１レセプタクル案内面１９ａ，１９ｂの間におけるＹ軸方向に沿った離間幅ＨＲは、図示を省略した他端側のレセプタクル先端面１９ｃから一端側のレセプタクル先端面１９ｃに向かうにつれて次第に狭くなっている。具体的には、第１レセプタクル案内面１９ａの他端部から第１レセプタクル案内面１９ｂの他端部までの第２離間幅ＨＲ２は、第１レセプタクル案内面１９ａの一端部から第１レセプタクル案内面１９ｂの一端部までの第１離間幅ＨＲ１よりも狭い。また、第１離間幅ＨＲ１は、第１及び第２主内壁面１７，１８の間における離間幅であるともいえる。従って、離間幅ＨＲは、第１及び第２主内壁面１７，１８の間における離間幅よりも狭くされるということもできる。例えば、第１及び第２離間幅ＨＲ１，ＨＲ２の関係を比率で示すと、第１離間幅ＨＲ１を１としたときに第２離間幅ＨＲ２は、一例として０．６である。
【００９５】
このような構造は、第１レセプタクル案内面１９ａ，１９ｂがＸ軸方向に対して傾いていることに起因する。例えば、第１レセプタクル案内面１９ａ，１９ｂとＸ軸との間の角度は、一例として４５度である。換言すると、第１レセプタクル案内面１９ａは第１主内壁面１７に対して、第１レセプタクル案内面１９ｂは第２主内壁面１８に対して、それぞれ傾いているともいえる。
【００９６】
図１３に示されるように、プラグコネクタ５０Ｂの一端側は、第１及び第２主外壁面５７，５８の一端側と、第１端外壁面５９Ｂとを有している。プラグハウジング５１Ｂには、プラグ端子５２が、例えば、インサート成形等により取り付けられている。プラグ端子５２の一部分は、プラグハウジング５１Ｂから露出して第１及び第２主外壁面５７，５８の一部分を構成している。また、プラグハウジング５１Ｂには、第１プラグ固定金具５３Ｂ，５４Ｂが、例えば、インサート成形等により取り付けられている。第１プラグ固定金具５３Ｂの一部分は、プラグハウジング５１Ｂから露出して第１及び第２主外壁面５７，５８及び第１及び第２端外壁面５９Ｂの一部分を構成している。
【００９７】
第１端外壁面５９Ｂは、第１プラグ案内面５９ａ，５９ｂ（第２領域）と、プラグ先端面５９ｃと、を有している。第１プラグ案内面５９ａの一端部は第１主外壁面５７の一端側に、第１プラグ案内面５９ｂの一端部は第２主外壁面５８の一端側に、それぞれ接続されている。プラグ先端面５９ｃの一端部は第１プラグ案内面５９ａの他端側に、プラグ先端面５９ｃの他端部は第１プラグ案内面５９ｂの他端側に、それぞれ接続されている。すなわち、第１端外壁面５９Ｂは、第１主外壁面５７の一端部から第２主外壁面５８の一端部までの間において、第１プラグ案内面５９ａ、プラグ先端面５９ｃ、第１プラグ案内面５９ｂの順に形成されている。
【００９８】
第１プラグ案内面５９ａは、第１プラグ案内面５９ｂとＹ軸方向において対向している。すなわち、第１プラグ案内面５９ａ，５９ｂは、プラグハウジング５１ＢのＸ軸方向に沿う軸線Ａ２を含んだＸＺ平面に対して対称の関係にある。第１プラグ案内面５９ａから第１プラグ案内面５９ｂまでのＹ軸方向に沿ったハウジング幅ＨＰは、図示を省略した他端側のプラグ先端面５９ｃから一端側のプラグ先端面５９ｃに向かうにつれて次第に狭くなっている。具体的には、第１プラグ案内面５９ａの他端部から第１プラグ案内面５９ｂの他端部までの第２ハウジング幅ＨＰ２は、第１プラグ案内面５９ａの一端部から第１プラグ案内面５９ｂの一端部までの第１ハウジング幅ＨＰ１よりも狭い。この第２ハウジング幅ＨＰ２は、レセプタクルコネクタ１０Ｂの第１離間幅ＨＲ２よりも大きい。例えば、第１ハウジング幅ＨＰ１と第２ハウジング幅ＨＰ２との関係を比率で示すと、第１ハウジング幅ＨＰ１を１としたときに第２ハウジング幅ＨＰ２は、一例として０．６である。
【００９９】
このような構造は、第１プラグ案内面５９ａ，５９ｂがＸ軸方向に対して傾いていることに起因する。例えば、第１プラグ案内面５９ａ，５９ｂとＸ軸との間の角度は、一例として４５度である。換言すると、第１プラグ案内面５９ａは第１主外壁面５７に対して、第１プラグ案内面５９ｂは第２主外壁面５８に対して、それぞれ傾いているともいえる。
【０１００】
また、プラグコネクタ５０Ｂのプラグ先端面５９ｃは、レセプタクルコネクタ１０Ｂのレセプタクル先端面１９ｃに当接することはない。プラグコネクタ５０Ｂがレセプタクルコネクタ１０Ｂにはめ込まれた状態では、レセプタクル先端面１９ｃとプラグ先端面５９ｃとの間には、隙間が形成され、非接触状態となる。
【０１０１】
なお、互いに接触し合う第１レセプタクル案内面１９ａと第１プラグ案内面５９ａとは、Ｘ軸方向に対する傾きが同じであってもよい。この構成によれば、第１レセプタクル案内面１９ａと第１プラグ案内面５９ａとを互いに面接触させることができる。
【０１０２】
第１レセプタクル固定金具１３Ｂについて説明する。図１４の（ｂ）に示されるように、第１レセプタクル固定金具１３Ｂは、金具部１０１Ａ，１０１Ｂを有している。金具部１０１Ａ，１０１Ｂは、導電性を有する金属材料により形成されている。金具部１０１Ａ，１０１Ｂの一部分は、レセプタクルハウジング１１Ｂを構成する樹脂材料に、例えば、インサート成形等により埋め込まれている。従って、金具部１０１Ａ，１０１Ｂは、互いの物理的な位置関係がレセプタクルハウジング１１Ｂへの埋め込みにより維持されている。金具部１０１Ａ，１０１Ｂのそれぞれは、一方が他方に対して接触していない状態でレセプタクルハウジング１１Ｂに配置されるので、電気的に絶縁されている。なお、金具部１０１Ａ，１０１Ｂは、レセプタクルハウジング１１Ｂに圧入により固定されてもよい。
【０１０３】
金具部１０１Ａについて説明する。金具部１０１Ａは、一枚の金属板が打ち抜き加工により所定の平面形状に形成されて、折り曲げ加工により所定の立体形状に形成されたものである。金具部１０１Ａは、金具本体１０２と、基板接続部１０３と、第３ガイド部１０４と、金具接続部１０６と、を有し、それらは複数の折り曲げ部１０７ａ〜１０７ｅと連結部１０８ａ，１０８ｂとにより一体化されている。
【０１０４】
金具本体１０２は、Ｘ軸方向を法線とする（Ｚ軸方向に延在する）板状を呈する。金具本体１０２のＹ軸方向における一方の側縁は、レセプタクルハウジング１１Ｂに取り付けられたとき、金具部１０１Ｂの金具本体１０２の一方の側縁と対面している。
【０１０５】
基板接続部１０３は、金具本体１０２の下縁に、折り曲げ部１０７ａを介して設けられている。基板接続部１０３は、プリント配線基板２の配線パターンに対してハンダ等により物理的に固定される板状の部分である。基板接続部１０３は、Ｙ軸方向に延びている。
【０１０６】
第３ガイド部１０４は、金具本体１０２の上縁に折り曲げ部１０７ｂ及び連結部１０８ａを介して設けられている。連結部１０８ａは、折り曲げ部１０７ｂからＸ軸方向に延び、その先端部はＸ軸方向に対して斜めに傾いている。第３ガイド部１０４は、この傾いた先端側に接続された折り曲げ部１０７ｃと、折り曲げ部１０７ｃに接続されてＺ軸方向に延び、収容部１６の外郭の一部を構成するガイド面部１０４ａを有している。従って、ガイド面部１０４ａは、Ｚ軸方向から見てＸ軸方向に対して交差している。
【０１０７】
金具接続部１０６は、金具本体１０２の他方の側縁に折り曲げ部１０７ｄ、連結部１０８ｂ及び折り曲げ部１０７ｅを介して設けられている。連結部１０８ｂは、Ｘ軸方向に延びており、その先端部は自由端とされている。連結部１０８ｂの下縁には、折り曲げ部１０７ｅが設けられており、折り曲げ部１０７ｅには金具接続部１０６が接続されている。金具接続部１０６は、折り曲げ部１０７ｅに接続されてＹ軸方向に延びる部分と、当該部分の先端側に接続されてＺ軸方向に延びる部分とを有している。Ｚ軸方向に延びる部分は、プラグコネクタ５０Ｂと嵌合した際、後述する第１プラグ固定金具５３Ｂと相互に接触する。このとき、折り曲げ部１０７ｅから金具接続部１０６までの部分はＹ軸方向への弾性を有しているので、プラグコネクタ５０Ｂを挟持している。
【０１０８】
図１５に示されるように、金具部１０１Ａの一部分は第１主内壁面１７に、別の部分は第１端内壁面１９Ｂに、それぞれ配置されている。より詳細には、金具接続部１０６は第１主内壁面１７に、第３ガイド部１０４は第１端内壁面１９Ｂにおける第１レセプタクル案内面１９ａに、それぞれ配置されている。
【０１０９】
金具部１０１Ｂについて説明する。なお、金具部１０１Ｂは、図１４の（ｂ）に示されるように、ＸＺ面を対称面として、金具部１０１Ａに対して対称となる形状を有している。従って、金具部１０１Ｂは、必要な箇所の説明のみ行う。そして、金具部１０１Ａと共通する箇所には、同一の符号を付し詳細な説明を省略する。図１５に示されるように、金具部１０１Ｂは、金具部１０１Ａに対して、絶縁性を有するレセプタクルハウジング１１Ｂの一部を挟んでＹ軸方向に離間して配置されている。従って、金具部１０１Ｂは、金具部１０１Ａに対して電気的に絶縁されている。金具部１０１Ｂの一部分は第２主内壁面１８に、別の部分は第１端内壁面１９Ｂに、それぞれ配置されている。より詳細には、金具接続部１０６は第２主内壁面１８に、第３ガイド部１０４は第１端内壁面１９Ｂにおける第１レセプタクル案内面１９ｂに、それぞれ配置されている。
【０１１０】
第２レセプタクル固定金具１４Ｂについて説明する。なお、第２レセプタクル固定金具１４Ｂは、第１レセプタクル固定金具１３Ｂに対して配置される位置が異なるのみであり、単体の構成は第１レセプタクル固定金具１３Ｂと同じである。従って、第２レセプタクル固定金具１４Ｂについては、必要な箇所の説明のみ行う。そして、第１レセプタクル固定金具１３Ｂと共通する箇所には、同一の符号を付し詳細な説明を省略する。図１５に示されるように、第１レセプタクル固定金具１４Ｂは、金具部１０９Ａ，１０９Ｂを有している。
【０１１１】
金具部１０９Ａ，１０９Ｂについて説明する。なお、金具部１０９Ａ，１０９Ｂは、金具部１０１Ａ，１０１Ｂに対して配置される位置が異なるのみであり、単体の構成は金具部１０１Ａ，１０１Ｂと同じである。従って、金具部１０９Ａ，１０９Ｂは、必要な箇所の説明のみ行う。そして、金具部１０１Ａ，１０１Ｂと共通する箇所には、同一の符号を付し詳細な説明を省略する。金具部１０９Ａ，１０９Ｂは、導電性を有する金属材料により形成されている。また、金具部１０９Ｂは、図１５に示されるように、金具部１０９Ａに対して、絶縁性を有するレセプタクルハウジング１１Ｂの一部を挟んでＹ軸方向に離間して配置されている。従って、金具部１０９Ｂは、金具部１０９Ａに対して電気的に絶縁されている。金具部１０９Ａの一部分は第１主内壁面１７に、別の部分は第２端内壁面２１Ｂにそれぞれ配置されている。より詳細には、金具接続部１０６は第１主内壁面１７に、第３ガイド部１０４は第２端内壁面２１Ｂにおける第１レセプタクル案内面２１ａに、それぞれ配置されている。金具部１０９Ｂの一部分は第２主内壁面１８に、別の部分は第１端内壁面２１Ｂに、それぞれ配置されている。より詳細には、金具接続部１０６は、第２主内壁面１８に、第３ガイド部１０４は第１端内壁面２１Ｂにおける第１レセプタクル案内面２１ｂに、それぞれ配置されている。
【０１１２】
第１プラグ固定金具５３Ｂについて説明する。図１４の（ａ）に示されるように、第１プラグ固定金具５３Ｂは、金具部１１１Ａ，１１１Ｂを有している。金具部１１１Ａ，１１１Ｂは、導電性を有する金属材料により形成されている。また、金具部１１１Ｂは、図１６に示されるように、金具部１１１Ａに対して、絶縁性を有するレセプタクルハウジング１１Ｂの一部を挟んでＹ軸方向に離間して配置されている。従って、金具部１１１Ｂは、金具部１１１Ａに対して電気的に絶縁されている。
【０１１３】
金具部１１１Ａについて説明する。金具部１１１Ａは、金具本体１１２と、基板接続部１１３と、第３ガイド部１１４と、金具接続部１１６とを有し、それらは複数の折り曲げ部１１７ａ〜１１７ｄと連結部１１８ａとにより一体化されている。
【０１１４】
金具本体１１２は、図１４の（ａ）に示されるように、Ｚ軸方向に延びている。金具本体１１２の主面は、レセプタクルハウジング１１Ｂに取り付けられたとき、金具部１１１Ｂの金具本体１１２の主面と対面している。
【０１１５】
基板接続部１１３は、金具本体１１２の上縁に折り曲げ部１１７ａを介してＹ軸方向に延びるように設けられている。金具本体１１２の下縁には、折り曲げ部１１７ｂを介して連結部１１８ａが設けられている。連結部１１８ａは、Ｘ軸方向に延びている。連結部１１８ａは、Ｘ軸方向で対向する一対の側縁を有している。一方の側縁は、Ｘ軸方向に対して略直交する。他方の側縁は、Ｘ軸方向に対して斜めに傾いている。
【０１１６】
他方の側縁には、第３ガイド部１１４が設けられている。第３ガイド部１１４は、他方の側縁に連続する折り曲げ部１１７ｃとＺ軸方向に延びるガイド面部１１４ａとを有している。
【０１１７】
金具接続部１１６は、連結部１１８ａにおいて折り曲げ部１１７ｂの反対側に折り曲げ部１１７ｄを介して設けられている。金具接続部１１６は、Ｚ軸方向に延び、その先端部は自由端とされ、同方向で基板接続部１１３と対面し、金具接続部１１６の先端部と基板接続部１１３との間には隙間が形成されている。また、金具接続部１１６は、金具本体１１２と対面している。すなわち、金具本体１１２、折り曲げ部１１７ｂ、連結部１１８ａ、折り曲げ部１１７ｄ及び金具接続部１１６は、Ｘ軸方向から見てＵ字状を呈する。
【０１１８】
図１６に示されるように、金具部１１１Ａの一部分は第１主外壁面５７に、別の部分は第１端外壁面５９Ｂに、それぞれ配置されている。より詳細には、金具接続部１１６は第１主外壁面５７に、第３ガイド部１１４は第１端外壁面５９Ｂにおける第１プラグ案内面５９ａに、それぞれ配置されている。
【０１１９】
金具部１１１Ｂについて説明する。なお、金具部１１１Ｂは、図１４の（ａ）に示されるように、ＸＺ面を対称面として、金具部１１１Ａに対して対称となる形状を有している。従って、金具部１１１Ｂは、必要な箇所の説明のみ行う。そして、金具部１１１Ａと共通する箇所には、同一の符号を付し詳細な説明を省略する。図１６に示されるように、金具部１１１Ｂの一部分は第２主外壁面５８に、別の部分は第１端外壁面５９Ｂに、それぞれ配置されている。より詳細には、金具接続部１１６は第２主外壁面５８に、第３ガイド部１１４は第１端外壁面５９Ｂにおける第１プラグ案内面５９ｂに、それぞれ配置されている。
【０１２０】
第２プラグ固定金具５４Ｂについて説明する。なお、第２プラグ固定金具５４Ｂは、第１プラグ固定金具５３Ｂに対して配置される位置が異なるのみであり、単体の構成は第１プラグ固定金具５３Ｂと同じである。従って、第２プラグ固定金具５４Ｂは、必要な箇所の説明のみ行う。そして、第１プラグ固定金具５３Ｂと共通する箇所には、同一の符号を付し詳細な説明を省略する。第２プラグ固定金具５４Ｂは、金具部１１９Ａ，１１９Ｂを有している。
【０１２１】
金具部１１９Ａ，１１９Ｂについて説明する。なお、金具部１１９Ａ，１１９Ｂは、金具部１１１Ａ，１１１Ｂに対して配置される位置が異なるのみであり、単体の構成は金具部１１１Ａ，１１１Ｂと同じである。従って、金具部１１９Ａ，１１９Ｂは、必要な箇所の説明のみ行う。そして、金具部１１１Ａ，１１１Ｂと共通する箇所には、同一の符号を付し詳細な説明を省略する。金具部１１９Ａ，１１９Ｂは、導電性を有する金属材料により形成されている。図１６に示されるように、金具部１１９Ｂは、金具部１１９Ａに対して、絶縁性を有するレセプタクルハウジング１１Ｂの一部を挟んでＹ軸方向に離間して配置されている。従って、金具部１１９Ｂは、金具部１１９Ａに対して電気的に絶縁されている。金具部１１９Ａの一部分は第１主外壁面５７に、別の部分は第２端外壁面６１Ｂに、それぞれ配置されている。より詳細には、金具接続部１１６は第１主外壁面５７に、第３ガイド部１１４は第２端外壁面６１Ｂにおける第１プラグ案内面６１ａに、それぞれ配置されている。金具部１１９Ｂの一部分は第２主外壁面５８に、別の部分は第２端外壁面６１Ｂに、それぞれ配置されている。より詳細には、金具接続部１１６は第２主外壁面５８に、第３ガイド部１１４は第２端外壁面６１における第１プラグ案内面６１ｂに、それぞれ配置されている。
【０１２２】
以下、第３実施形態に係るコネクタ装置１Ｂの作用効果について説明する。
【０１２３】
第３実施形態に係るコネクタ装置１Ｂは、互いに電気的に絶縁された４個の金具部１０１Ａ，１０１Ｂ，１１１Ａ，１１１Ｂを有しているので、第１及び第２実施形態に係るコネクタ装置１，１Ａと同様に、電気回路数を増加させることができる。
【０１２４】
また、コネクタ装置１Ｂにおいて、第１及び第２レセプタクル固定金具１３Ｂ，１４Ｂ、第１及び第２プラグ固定金具５３Ｂ，５４Ｂは、第３ガイド部１０４，１１４を有している。これらの第３ガイド部１０４，１１４を有する第１及び第２レセプタクル固定金具１３Ｂ，１４Ｂ、第１及び第２プラグ固定金具５３Ｂ，５４Ｂは、第１実施形態に係る第１レセプタクル固定金具１３、第２レセプタクル固定金具１４、第１及び第２プラグ固定金具５３，５４と同様に、プラグコネクタ５０とレセプタクルコネクタ１０との干渉を解消することができる。具体的には、第３実施形態に係るコネクタ装置１Ｂは、プラグコネクタ５０Ｂをレセプタクルコネクタ１０Ｂに挿し込むとき、プラグコネクタ５０ＢのＸ軸方向及びＹ軸方向への動きを規制して、プラグコネクタ５０Ｂを収容部１６へ導くことができる。
【０１２５】
例えば、プラグコネクタ５０ＢがＺ軸に対して斜めに交差するように傾けた状態において、プラグコネクタ５０Ｂをレセプタクルコネクタ１０Ｂに挿し込む際、プラグコネクタ５０Ｂの第１端外壁面５９Ｂ又は第２端外壁面６１Ｂの一方がレセプタクルコネクタ１０Ｂの収容部１６を構成する第１主内壁面１７又は第２主内壁面１８等の壁面に接触することがある。この場合には、プラグコネクタ５０ＢのＹ軸方向における動きが規制される。一例として、プラグコネクタ５０Ｂの第１プラグ案内面５９ａがレセプタクルコネクタ１０Ｂの第１主内壁面１７に接触した場合には、Ｙ軸方向へのプラグコネクタ５０Ｂの動きが制限される。一方、プラグコネクタ５０Ｂは、Ｘ軸方向に沿って移動可能とされる。このとき、第１プラグ案内面５９ｂ、及び当該第１プラグ案内面５９ｂと対面する第２主内壁面１８との間には、隙間が生じることがある。Ｘ軸方向に沿って移動可能とされたプラグコネクタ５０Ｂは、やがて第１端内壁面１９Ｂに至る。このとき、第１端内壁面１９Ｂの第１レセプタクル案内面１９ａにおいて、第１プラグ案内面５９ａを第１レセプタクル案内面１９ａに押し付ける方向（Ｙ軸の正方向）へのプラグコネクタ５０Ｂの動きが制限される。すなわち、プラグコネクタ５０Ｂは、第１端内壁面１９Ｂにおける第１レセプタクル案内面１９ａに沿って移動可能とされる。一方、第１プラグ案内面５９ｂと第１レセプタクル案内面１９ｂとの間には隙間が生じているので、プラグコネクタ５０Ｂの第１プラグ案内面５９ｂが第１レセプタクル案内面１９ｂに近づく方向（Ｙ軸の負方向）への移動は許容される。第１レセプタクル案内面１９ａは、対面方向（Ｙ軸方向）における離間幅ＨＲが次第に狭くなっている。そうすると、プラグコネクタ５０Ｂが第１レセプタクル案内面１９ａに接触した状態で動いたときに、プラグコネクタ５０Ｂの動きは、Ｘ軸方向に対して斜めに交差する方向への動きに制限される。この斜めに交差する方向への動きは、Ｘ軸方向に対して直交するＹ軸方向への移動成分を有している。このため、当初は、プラグコネクタ５０Ｂがレセプタクルコネクタ１０Ｂに対してＹ軸方向でずれていたとしても、プラグコネクタ５０Ｂが第１レセプタクル案内面１９ａに接触しながら移動することで、プラグコネクタ５０Ｂの軸方向がレセプタクルコネクタ１０Ｂの軸方向に徐々に揃うように、プラグコネクタ５０Ｂの位置が修正されていく。つまり、プラグコネクタ５０Ｂが第１レセプタクル案内面１９ａに接触した状態で移動することにより、プラグコネクタ５０Ｂの位置が嵌合可能な位置に徐々に修正されていく。なお、プラグコネクタ５０Ｂの第１端外壁面５９Ｂ側の姿勢が修正されるに従って、プラグコネクタ５０Ｂの第２端外壁面６１Ｂ側の姿勢も嵌合可能な位置に徐々に修正されていく。そして、最終的には、プラグコネクタ５０Ｂの軸方向がレセプタクルコネクタ１０Ｂの軸方向に揃った状態となりプラグコネクタ５０Ｂがレセプタクルコネクタ１０Ｂに嵌合可能になる。従って、レセプタクルコネクタ１０Ｂによれば、レセプタクルコネクタ１０Ｂに対するプラグコネクタ５０Ｂの位置が嵌合できない状態であっても、嵌合可能な位置に修正することができる。これにより、レセプタクルコネクタ１０Ｂは、プラグコネクタ５０Ｂ及びレセプタクルコネクタ１０Ｂを互いに嵌合させる際の作業性を向上させることができる。
【０１２６】
以下、上述したプラグコネクタ５０Ｂの姿勢を修正する作用効果について図１７を参照しつつ、具体的に説明する。図１７の（ａ）及び図１７の（ｂ）は、レセプタクルコネクタ１０Ｂ，２１０及びプラグコネクタ５０Ｂ，２５０を簡素化して図示したものであり、ガイド機能を説明するために必要な構成要素のみ図示している。
【０１２７】
〔第１軸合せガイド機能〕
図１７の（ａ）に示されるように、比較例に係るレセプタクルコネクタ２１０は、一対の主内壁面２１１を有している。主内壁面２１１の離間幅ＨＲ３は、プラグコネクタ２５０のハウジング幅ＨＰ３と同じ大きさである。比較例に係るレセプタクルコネクタ２１０にプラグコネクタ２５０を挿し込むとき、プラグコネクタ２５０をＺ軸方向に対して斜めに傾けて、レセプタクルコネクタ２１０に挿し込む。この場合には、プラグコネクタ２５０の軸線Ａ２とレセプタクルコネクタ２１０の軸線Ａ１とを一致させなければ、プラグコネクタ２５０をレセプタクルコネクタ２１０に挿し込むことができない。すなわち、比較例に係るレセプタクルコネクタ２１０は、プラグコネクタ２５０の姿勢を修正する機能を奏することができないので、ガイド機能を有するとはいえない。
【０１２８】
一方、図１７の（ｂ）に示されるように、レセプタクルコネクタ１０Ｂでは、第１離間幅ＨＲ１によって示される受け入れ部（一方の第１レセプタクル案内面１９ａの一端部と他方の第１レセプタクル案内面１９ｂの一端部との間）が、プラグコネクタ５０Ｂのプラグ先端面５９ｃの先端幅（第２ハウジング幅ＨＰ２）よりも大きい。従って、プラグコネクタ５０Ｂをレセプタクルコネクタ１０Ｂに挿し込むに際して、第１離間幅ＨＲ１と第２ハウジング幅ＨＰ２との差分だけ、レセプタクルコネクタ１０Ｂの軸線Ａ１に対するプラグコネクタ５０Ｂの軸線Ａ２のずれを許容できる。
【０１２９】
例えば、図１８の（ａ）に示されるように、斜め方向への挿し込みが開始されたとする。ここでいう「斜め」とは、Ｚ軸方向に対して、プラグコネクタ５０Ｂの軸線Ａ２が傾いていることをいう。なお、図１８の（ｂ）に示されるように、プラグコネクタ５０Ｂがずれた状態とは、平面視してプラグコネクタ５０Ｂの軸線Ａ２がレセプタクルコネクタ１０Ｂの軸線Ａ１に対してＹ軸方向にずれている状態とする。
【０１３０】
図１９の（ａ）及び（ｂ）に示されるように、Ｚ軸方向においてプラグコネクタ５０Ｂがレセプタクルコネクタ１０Ｂに対して離間している状態（図１９の（ａ）参照）から矢印Ｋ１の方向に沿って挿し込みが開始される。このときに、プラグコネクタ５０Ｂの軸線Ａ２はレセプタクルコネクタ１０Ｂの軸線Ａ１に対してＹ軸方向にずれているとする（図１９の（ｂ）参照）。次に、図１９の（ｃ）及び（ｄ）に示されるように、レセプタクルコネクタ１０Ｂの第１レセプタクル案内面１９ｂにプラグコネクタ５０Ｂの第１プラグ案内面５９ｂが当接する（図１９の（ｃ）参照）。このときに、レセプタクルコネクタ１０Ｂの第１レセプタクル案内面１９ａにはプラグコネクタ５０Ｂの第１プラグ案内面５９ａは当接していない（図１９の（ｄ）参照）。第１レセプタクル案内面１９ｂに第１プラグ案内面５９ｂが当接した状態でさらに斜めに挿入されると、プラグコネクタ５０Ｂは第１レセプタクル案内面１９ｂに沿って移動する。この移動は、Ｙ軸方向への移動を含んでいるので、プラグコネクタ５０Ｂの軸線Ａ２は、徐々にレセプタクルコネクタ１０Ｂの軸線Ａ１に近づいていく。すなわち、プラグコネクタ５０Ｂの姿勢が修正されていく。また、プラグコネクタ５０Ｂの第１プラグ案内面５９ａがレセプタクルコネクタ１０Ｂの第１レセプタクル案内面１９ａに近づいていくともいえる。そして、図１９の（ｅ）及び（ｆ）に示されるように、プラグコネクタ５０Ｂの第１プラグ案内面５９ａがレセプタクルコネクタ１０Ｂの第１レセプタクル案内面１９ａに当接したときに、プラグコネクタ５０Ｂの軸線Ａ２は、レセプタクルコネクタ１０Ｂの軸線Ａ１に一致する。すなわち、プラグコネクタ５０Ｂの姿勢が、レセプタクルコネクタ１０Ｂに対して嵌合可能な姿勢に修正される。
【０１３１】
なお、上記の説明では、レセプタクルコネクタ１０Ｂ及びプラグコネクタ５０Ｂがそれぞれの軸線Ａ１，Ａ２に対して線対称に構成されている場合を前提にしているが、レセプタクルコネクタ１０Ｂ又はプラグコネクタ５０Ｂは、それぞれ軸線Ａ１，Ａ２に対して線対称でなくてもよい。この場合、プラグコネクタ５０Ｂを嵌合可能な状態は、それぞれの軸線Ａ１，Ａ２が互いに平行になる状態を示す。
【０１３２】
〔第２軸合せガイド機能〕
上述したガイド機能は、要するに、レセプタクルコネクタ１０Ｂの軸線Ａ１に対して、軸線Ａ２が平行にずれたプラグコネクタ５０Ｂの姿勢を修正する機能である。本実施形態のレセプタクルコネクタ１０Ｂは、さらに別の第２軸合せガイド機能を奏し得る。軸線Ａ１，Ａ２間のずれは、平行にずれる態様に加えて、さらに互いに交差するようにずれる態様もあり得る。
【０１３３】
図２０の（ａ）に示されるように、平面視したときに、比較例に係るプラグコネクタ２５０の軸線Ａ２がレセプタクルコネクタ２１０の軸線Ａ１に対して傾いているとする。この状態において、プラグコネクタ２５０を軸線Ａ２に沿ってレセプタクルコネクタ２１０に挿し込む。そうすると、図２０の（ｂ）に示されるように、プラグコネクタ２５０の一方の角部２５１がレセプタクルコネクタ２１０のレセプタクル先端面２１２に当接することがあり得る。プラグコネクタ２５０のずれを修正するために、プラグコネクタ２５０はＺ軸方向まわりに回転させられる。しかし、図２０の（ｃ）に示されるように、他方の角部２５２が主内壁面２１１に当接してしまい、それ以上回転させることができない。すなわち、プラグコネクタ５０Ｂの姿勢を修正することができない。
【０１３４】
一方、図２１の（ａ）〜（ｄ）に示されるように、第３実施形態に係るレセプタクルコネクタ１０Ｂによれば、プラグコネクタ５０Ｂの軸線Ａ２がレセプタクルコネクタ１０Ｂの軸線Ａ１に対して傾いた状態（図２１の（ａ）参照）で挿し込まれ、第１プラグ案内面５９ｂの角部５９ｄに第１レセプタクル案内面１９ａが当接した場合（図２１の（ｂ）参照）であっても、第１プラグ案内面５９ｂと第１レセプタクル案内面１９ｂとの間には、隙間Ｋ２が確保される。このため、プラグコネクタ５０ＢはＺ軸方向の周りに回転させられ（図２１の（ｃ）参照）、第１プラグ案内面５９ｂと第１レセプタクル案内面１９ｂとが当接する（図２１の（ｄ）参照）。この状態にあっては、レセプタクルコネクタ１０Ｂの軸線Ａ１に対してプラグコネクタ５０Ｂの軸線Ａ２が傾いていない。従って、プラグコネクタ５０Ｂの姿勢をレセプタクルコネクタ１０Ｂに対して嵌合可能な姿勢に修正することができる。このような第２軸合せガイド機能は軸合せ機能あるいはアライメント機能ということもできる。
【０１３５】
レセプタクルコネクタ１０Ｂにおけるレセプタクルハウジング１１Ｂの端部構成について別の視点から説明する。図２２の（ａ）に示されるように、レセプタクルハウジング１１Ｂの端部には、第１端内壁面１９Ｂが形成されている。第１端内壁面１９Ｂは、収容部１６を囲む壁体４６の一部分であり、第１端内壁面１９Ｂと外側端面１１ｂとを含んで壁部４６ａが形成されている。ここで、プラグコネクタ５０Ｂがレセプタクルコネクタ１０Ｂに嵌合されたときに、プラグコネクタ５０Ｂのプラグハウジング５１Ｂが当接し得るレセプタクルコネクタ１０Ｂの箇所は、一対の第１レセプタクル案内面１９ａ，１９ｂである。例えば、第１レセプタクル案内面１９ｂにプラグコネクタ５０Ｂが当接し、さらにＸ軸方向に沿った外力Ｆ１がプラグコネクタ５０Ｂに加わると、プラグコネクタ５０Ｂは第１レセプタクル案内面１９ｂを押圧する。この押圧力Ｆ２は、第１レセプタクル案内面１９ｂに対して垂直に作用する。この押圧力Ｆ２に対して壁部４６ａは、十分な厚みを有しているので押圧力Ｆ２に好適に対抗することができる。さらに、要求される強度を有するように壁部４６ａを設計する場合には、Ｘ軸方向の長さを短くすることが可能になる。従って、レセプタクルコネクタ１０ＢのＸ軸方向における長さを短くすることができる。
【０１３６】
図２２の（ｂ）に示される比較例に係るレセプタクルコネクタ２１０と比較しつつ、本実施形態に係るレセプタクルコネクタ１０Ｂの端部構成についてさらに説明する。例えば、図２２の（ｂ）に示される比較例に係るレセプタクルコネクタ２１０は、一対の主内壁面２１１上のそれぞれに設けられた一対の案内面２１４を有する。Ｘ軸方向における案内面２１４の長さ（ガイド幅）を所定値（長さＬ１）に設定したとする。この場合、案内面からレセプタクルコネクタ２１０の外側端面２１６までの長さＬ２は、少なくとも長さＬ１以上である。また、レセプタクルコネクタ２１０において、プラグコネクタ２５０から加わる押圧力Ｆ３に対抗する部分は、端壁２１７である。従って、端壁２１７についても十分な強度を有するように厚みを確保する必要がある。
【０１３７】
一方、図２２の（ａ）に示されるレセプタクルコネクタ１０Ｂでは、一対の第１レセプタクル案内面１９ａ，１９ｂがＸ軸方向に対して斜めになるように形成されている。この構成によれば、第１レセプタクル案内面１９ａの表面に沿った長さが長さＬ１であるときに、Ｘ軸方向に沿った第１レセプタクル案内面１９ａの長さＬ３は長さＬ１の余弦成分（コサイン成分）である。従って、Ｘ軸方向における長さで比べると、レセプタクルコネクタ１０Ｂの第１レセプタクル案内面１９ａの長さＬ３は、レセプタクルコネクタ２１０の案内面２１４の長さＬ１よりも短い。さらに、レセプタクルコネクタ１０Ｂでは、プラグコネクタ５０Ｂから加わる外力Ｆ１は壁部４６ａによって負担される。また、レセプタクル先端面１９ｃとプラグ先端面５９ｃとの間には隙間が設けられているので、プラグコネクタ５０Ｂから押圧力が加わることがない。このため、レセプタクル先端面１９ｃにより構成される端壁は比較例に係る端壁２１７ほどの厚みを要求されない。従って、レセプタクルコネクタ１０Ｂは、比較例に係るレセプタクルコネクタ２１０よりもＸ軸方向における長さを短くすることができ、ひいてはコネクタの小型化も可能となる。
【０１３８】
以上、本発明をその実施形態に基づいて説明した。しかし、本発明は上記実施形態に限定されるものではない。本発明は、その要旨を逸脱しない範囲で様々な変形が可能である。
【０１３９】
上記の説明では、第３実施形態に係るレセプタクルコネクタ１０Ｂの第１端内壁面１９Ｂ及び第２端内壁面２１Ｂは、平面状であるとして説明した。しかし、第１端内壁面１９Ｂ及び第２端内壁面２１Ｂは、平面状に限定されることはない。例えば、図２３の（ａ）に示されるように、第１端内壁面１９Ｃは、曲面状であってもよい。図２３の（ａ）に示された変形例１に係るレセプタクルコネクタ１０Ｃの第１端内壁面１９Ｃは、平面視して円弧状を呈する。このような構成においても、第１端内壁面１９Ｃの一部分には、互いに対面し、Ｘ軸方向に沿って離間幅が徐々に狭くなる第１レセプタクル案内面１９ａＣ，１９ｂＣとを有し得る。第１レセプタクル案内面１９ａＣ，１９ｂＣの間には、曲面状のレセプタクル先端面１９ｃＣが形成される。また、図２３の（ｂ）に示されるように、変形例２に係るレセプタクルコネクタ１０Ｄは、第１端内壁面１９Ｄにおいて第１レセプタクル案内面１９ａＣ及び第１レセプタクル案内面１９ｂＣに対応する領域が曲面状とされ、レセプタクル先端面１９ｃＤが平面状とされていてもよい。
【０１４０】
また、レセプタクルコネクタ１０の第１及び第２レセプタクル固定金具１３，１４、プラグコネクタ５０の第１及び第２プラグ固定金具５３，５４によって形成される２つの電気回路は、図１に示された回路構成に限定されることはない。例えば、図１に示された回路構成とは別の構成を有する２個の電気回路を形成してもよいし、電気的に互いに絶縁されている８個の金具部２６Ａ，２６Ｂ，３４Ａ，３４Ｂ，６２Ａ，６２Ｂ，６９Ａ，６９Ｂから任意の４個を選択して、１個の電気回路を構成してもよい。
【０１４１】
例えば、２個の電気回路を構成する場合には、図２において、第１レセプタクル固定金具１３の金具部２６Ａ，２６Ｂ及び第１プラグ金具部５３の金具部６２Ａ，６２Ｂが、電気的に接続されて一つの電気回路を構成し、第２レセプタクル固定金具１４の金具部３４Ａ，３４Ｂ及び第２プラグ固定金具５４の金具部６９Ａ，６９Ｂが、電気的に接続されて別の電気回路を構成してもよい。
【０１４２】
この構成によれば、レセプタクルコネクタ１０が取り付けられたプリント配線基板上の入力ラインは、第１レセプタクル固定金具１３の金具部２６Ａにおける基板接続部２８に接続される。金具部２６Ａの金具接続部３１は、第１プラグ固定金具５３の金具部６２Ａにおける金具接続部６７と接触する。第１プラグ固定金具５３の金具部６２Ａにおける基板接続部６４は、プラグコネクタ５０が取り付けられたプリント配線基板の配線ラインの一端に接続される。当該配線ラインの他端は、プラグコネクタ５０の金具部６２Ｂにおける基板接続部６４に接続される。金具部６２Ｂの金具接続部６７は、第１レセプタクル固定金具１３の金具部２６Ｂにおける金具接続部３１と接触する。第１レセプタクル固定金具１３の金具部２６Ｂにおける基板接続部２８は、プリント配線基板の出力ラインに接続される。
【０１４３】
同様に、レセプタクルコネクタ１０が取り付けられたプリント配線基板上の別の入力ラインは、第２レセプタクル固定金具１４の金具部３４Ａにおける基板接続部２８に接続される。金具部３４Ａの金具接続部３１は、第２プラグ固定金具５４の金具部６９Ａにおける金具接続部６７と接触する。第２プラグ固定金具５４の金具部６９Ａにおける基板接続部６４は、プラグコネクタ５０が取り付けられたプリント配線基板の配線ラインの一端に接続される。当該配線ラインの他端は、プラグコネクタ５０の金具部６９Ｂにおける基板接続部６４に接続される。金具部６９Ｂの金具接続部６７は、第２レセプタクル固定金具１４の金具部３４Ｂにおける金具接続部３１と接触する。第２レセプタクル固定金具１４の金具部３４Ｂにおける基板接続部２８は、プリント配線基板の出力ラインに接続される。
【符号の説明】
【０１４４】
１，１Ａ，１Ｂ…コネクタ装置、２，３…プリント配線基板、２ａ，２ｂ，３ａ，３ｂ，４，６…電気回路、１０，１０Ａ，１０Ｂ，１０Ｃ，１０Ｄ，２１０…レセプタクルコネクタ、１１，１１Ａ，１１Ｂ…レセプタクルハウジング、１２…レセプタクル端子、１３，１３Ａ，１３Ｂ…第１レセプタクル固定金具、１４，１４Ａ，１４Ｂ…第２レセプタクル固定金具、１６…収容部、１７…第１主内壁面、１８…第２主内壁面、１９，１９Ｂ，１９Ｃ…第１端内壁面、１９ａ，１９ｂ，１９ａＣ，１９ｂＣ，２１ａ…第１レセプタクル案内面、２１，２１Ｂ…第２端内壁面、２６Ａ，２６Ｂ，３４Ａ，３４Ｂ，３６Ａ，３６Ｂ，４５Ａ，４５Ｂ，６２Ａ，６２Ｂ，６９Ａ，６９Ｂ，７１Ａ，７１Ｂ，８１Ａ，８１Ｂ，１０１Ａ，１０１Ｂ，１０９Ａ，１０９Ｂ，１１１Ａ，１１１Ｂ，１１９Ａ，１１９Ｂ…金具部、２８，３８，６４，７３，１０３，１１３…基板接続部、２９，３９，６６，７４…第１ガイド片、３１，４１，６７，７６，１０６，１１６…金具接続部、４２，７７…第２ガイド片、５０，５０Ａ，５０Ｂ，２５０…プラグコネクタ、５１，５１Ａ，５１Ｂ…プラグハウジング、５２…プラグ端子、５３，５３Ａ，５３Ｂ…第１プラグ固定金具、５４，５４Ａ，５４Ｂ…第２プラグ固定金具、５７…第１主外壁面、５８…第２主外壁面、５９，５９Ｂ…第１端外壁面、５９ａ，５９ｂ，６１ａ，６１ｂ…第１プラグ案内面、６１，６１Ｂ…第２端外壁面、１０４，１１４…第３ガイド部。
【図１】
2018067377.tif 000003
【図２】
2018067377.tif 000004
【図３】
2018067377.tif 000005
【図４】
2018067377.tif 000006
【図５】
2018067377.tif 000007
【図６】
2018067377.tif 000008
【図７】
2018067377.tif 000009
【図８】
2018067377.tif 000010
【図９】
2018067377.tif 000011
【図１０】
2018067377.tif 000012
【図１１】
2018067377.tif 000013
【図１２】
2018067377.tif 000014
【図１３】
2018067377.tif 000015
【図１４】
2018067377.tif 000016
【図１５】
2018067377.tif 000017
【図１６】
2018067377.tif 000018
【図１７】
2018067377.tif 000019
【図１８】
2018067377.tif 000020
【図１９】
2018067377.tif 000021
【図２０】
2018067377.tif 000022
【図２１】
2018067377.tif 000023
【図２２】
2018067377.tif 000024
【図２３】
2018067377.tif 000025